(57)【要約】【課題】定点調査等で人為的失誤による撮残し発生を防止可能な携帯式電子デバイスの提供。【解決手段】タッチスクリーン、カメラ、画像記憶手段、画像を撮影日時・場所情報を含む画像管理情報と関連づけ管理する写真管理ＤＢと、同じ撮影場所の各撮影日時の画像を事前／事後画像の画像組を縦列した撮影画像リストを作成し、タッチスクリーン画面に表示する共に、事後画像がない場合、事後画像に代えて未撮影示教画像を表示する画像リスト表示手段と、撮影画像リスト内の未撮影示教画像が選択された場合において、電子ビューファインダに事前画像から生成す下敷画像を重畳表示してタッチスクリーンに表示する下敷観景画面表示手段と、シャッターが選択された場合、事後画像を画像記憶手段に保存し、事後画像の撮影日時・場所情報を含む画像管理情報と関連づけて写真管理ＤＢに登録する事後画像取込手段とを備えた。【選択図】図３
2018029239.tif 000002
【特許請求の範囲】
【請求項１】
タッチスクリーンデバイスと、カメラデバイスと、内部時計とを備えた写真撮影・管理用の携帯式電子デバイスであって、
前記カメラデバイスにより撮影された画像を画像ファイルとして保存する画像記憶手段と、
前記画像記憶手段に保存された画像を、当該画像の撮影日時情報、及び撮影場所情報を含む画像管理情報と関連づけて管理する写真管理データベースと、
前記写真管理データベースに登録された前記各画像管理情報を読み出し、
同じ撮影場所の各撮影日時の画像を、撮影日時が前の画像である事前画像、撮影日時が後の画像である事後画像の順に横並びにして画像組とし、これらの画像組を縦列した撮影画像リストを作成し、当該撮影画像リストを、前記タッチスクリーンデバイスの画面に表示するとともに、
前記撮影画像リストに於いて、前記事後画像が前記画像記憶手段内に保存されていない場合には、前記事後画像に代えて未撮影であることを示す未撮影示教画像を表示する画像リスト表示手段と、
前記撮影画像リストにおいて、前記タッチスクリーンデバイスにより前記撮影画像リスト内の前記未撮影示教画像が選択された場合において、
前記カメラデバイスからリアルタイムで取り込まれる電子ビューファインダ画像に、当該未撮影示教画像が属する画像組の前記事前画像から生成される下敷画像を重畳表示してファインダ重畳画像を生成し、
当該ファインダ重畳画像と、撮像実行指示を入力するためのタップ操作位置を示すシャッターボタン画像とを含む下敷付ファインダ画面を前記タッチスクリーンデバイスの画面に表示する下敷付ファインダ画面表示手段と、
前記下敷付ファインダ画面において、前記タッチスクリーンデバイスにより前記シャッターボタン画像が選択された場合、その選択時点の前記電子ビューファインダ画像を前記事後画像として前記画像記憶手段に保存するとともに、前記内部時計から取り込まれる当該事後画像の撮影日時情報、及び前記ファインダ重畳画像の下敷画像として用いられた前記事前画像の撮影場所情報を含む画像管理情報と関連づけて当該事後画像を前記写真管理データベースに登録する事後画像取込手段と、を備え、
前記画像リスト表示手段は、前記事後画像取込手段により前記事後画像が前記写真管理データベースに新たに登録された場合、新たに登録された当該事後画像を含む前記撮影画像リストを、前記タッチスクリーンデバイスの画面に再表示することを特徴とする携帯式電子デバイス。
【請求項２】
前記撮影画像リストにおいて、前記タッチスクリーンデバイスにより前記撮影画像リスト内の前記事前画像が選択された場合において、前記画像記憶手段から当該事前画像を読み出して前記タッチスクリーンデバイスに表示するとともに、接写撮影実行指示を入力するためのタップ操作位置を示す接写ボタン画像を前記タッチスクリーンデバイスに表示する撮影済画像表示手段と、
前記タッチスクリーンデバイスにより前記接写ボタン画像が選択された場合、前記タッチスクリーンデバイスに、前記カメラデバイスからリアルタイムで取り込まれる電子ビューファインダ画像及び撮像実行指示を入力するためのタップ操作位置を示すシャッターボタン画像を含む接写ファインダ画面を表示する接写ファインダ画面表示手段と、
前記接写ファインダ画面において、前記タッチスクリーンデバイスにより前記シャッターボタン画像が選択された場合、その選択時点の前記電子ビューファインダ画像を前記事前画像として前記画像記憶手段に保存するとともに、前記内部時計から取り込まれる当該事前画像の撮影日時情報、及び先に前記接写ボタン画像が選択された際に前記タッチスクリーンデバイスに表示されていた前記事前画像の前記撮影場所情報を含む画像管理情報と関連づけて当該事前画像を前記写真管理データベースに登録する接写画像取込手段と、を備え、
前記画像リスト表示手段は、前記接写画像取込手段により前記事前画像が前記写真管理データベースに新たに登録された場合、新たに登録された当該事前画像を含む前記撮影画像リストを、前記タッチスクリーンデバイスの画面に再表示することを特徴とする請求項１記載の携帯式電子デバイス。
【請求項３】
前記下敷付ファインダ画面表示手段は、前記下敷付ファインダ画面において、前記下敷画像の元である前記事前画像に対する前記電子ビューファインダ画像の位置ずれベクトルをリアルタイムに演算し、算出された位置ずれベクトルに応じて、前記カメラデバイスの向きを動かすべき方向を指示する撮影アングル補正指示マークを前記タッチスクリーンデバイスの画面内に表示する撮影アングル補正指示手段を備えていることを特徴とする請求項１又は２記載の携帯式電子デバイス。
【請求項４】
前記下敷付ファインダ画面表示手段は、前記下敷付ファインダ画面において、前記下敷画像の元である前記事前画像に対する前記電子ビューファインダ画像の位置ずれベクトルをリアルタイムに演算し、
前記事後画像取込手段は、前記下敷付ファインダ画面表示手段が算出する位置ずれベクトルを参照して、前記下敷画像に対する前記電子ビューファインダ画像の位置ずれ量が所定の閾値を下回ったときに、撮影アングルが合致したことを報知する撮影アングル合致報知手段を備えていることを特徴とする請求項１乃至３の何れか一記載の携帯式電子デバイス。
【請求項５】
前記下敷付ファインダ画面表示手段は、前記下敷付ファインダ画面において、前記下敷画像の元である前記事前画像に対する前記電子ビューファインダ画像の位置ずれベクトルをリアルタイムに演算し、
前記事後画像取込手段は、前記下敷付ファインダ画面表示手段が算出する位置ずれベクトルを参照して、前記下敷画像に対する前記電子ビューファインダ画像の位置ずれ量が所定の閾値を下回ったときに、その選択時点の前記電子ビューファインダ画像を前記事後画像として前記画像記憶手段に保存するとともに、前記内部時計から取り込まれる当該事後画像の撮影日時情報、及び前記ファインダ重畳画像の下敷画像として用いられた前記事前画像の撮影場所情報を含む画像管理情報と関連づけて当該事後画像を前記写真管理データベースに登録することを特徴とする請求項１乃至３の何れか一記載の携帯式電子デバイス。
【請求項６】
現在位置の測位を行う測位モジュールと、
近距離無線通信を行う近距離無線通信モジュールと、
現在の方位を検出する方位センサと、
前記測位モジュールにより現在の絶対位置を検出し、
前記近距離無線通信モジュールにより撮影対象の位置に設置されるＲＦタグとの間で無線通信を行い、当該ＲＦタグまでの距離を検出し、
前記方位センサにより前記カメラデバイスの撮影視軸の視軸方位を検出し、
これらの検出された絶対位置、ＲＦタグまでの距離、視軸方位に基づき、前記ＲＦタグの絶対位置を算出する撮影位置演算手段と、を備え、
前記画像リスト表示手段は、前記撮影画像リストに加えて、新規事前画像を追加するリスト追加指示を入力するためのタップ操作位置を示すリスト追加ボタン画像を、前記タッチスクリーンデバイスの画面に表示するものであり、
前記タッチスクリーンデバイスにより前記リスト追加ボタン画像が選択された場合、前記タッチスクリーンデバイスに、前記カメラデバイスからリアルタイムで取り込まれる電子ビューファインダ画像及び撮像実行指示を入力するためのタップ操作位置を示すシャッターボタン画像を含む通常ファインダ画面を表示する通常ファインダ画面表示手段と、
前記通常ファインダ画面において、前記タッチスクリーンデバイスにより前記シャッターボタン画像が選択された場合、その選択時点の前記電子ビューファインダ画像を前記事前画像として前記画像記憶手段に保存するとともに、前記内部時計から取り込まれる当該撮影画像の撮影日時情報、及び前記撮影位置演算手段により算出された前記ＲＦタグの絶対位置からなる撮影場所情報を含む画像管理情報と関連づけて当該事前画像を前記写真管理データベースに登録する新規追加画像取込手段と、を備え、
前記画像リスト表示手段は、前記新規追加画像取込手段により前記事前画像が前記写真管理データベースに新たに登録された場合、新たに登録された当該事前画像を含む前記撮影画像リストを、前記タッチスクリーンデバイスの画面に再表示することを特徴とする請求項１乃至５の何れか一記載の携帯式電子デバイス。
【請求項７】
前記下敷付ファインダ画面又は前記通常ファインダ画面において、前記タッチスクリーンデバイスにより前記シャッターボタン画像が選択された場合、前記タッチスクリーンデバイス上に、その選択時点の前記電子ビューファインダ画像である撮影画像を含む画像編集画面を表示する画像編集手段と、
前記撮影画像において、予め登録されたスケールの基準となるスケール基準画像を探索し、前記スケール基準画像が索出された場合には、前記撮影画像内における前記スケール基準画像のサイズに基づき、前記撮影画像上のサイズに対する実際の被写体のサイズの比であるサイズ換算比を算出するサイズ換算比算出手段と、
前記サイズ換算比算出手段により前記サイズ換算比が算出された場合、前記画像編集画面上の前記撮影画像において前記タッチスクリーンデバイスにより２点が指定された場合に、前記撮影画像上における当該２点間の距離Ｌ１を算出し、当該距離Ｌ１に前記サイズ換算比を乗じて被写体における当該２点間の距離Ｌ２を算出し、前記画像編集画面内に表示するサイズ計測手段と、を備えたことを特徴とする請求項１乃至６の何れか一記載の携帯式電子デバイス。
【請求項８】
タッチスクリーンデバイスと、カメラデバイスと、内部時計と、コンピュータとを備えた携帯式電子デバイスに読み込ませて実行することにより、当該携帯式電子デバイスを請求項１乃至５の何れか一記載の携帯式電子デバイスとして機能させることを特徴とするプログラム。
【請求項９】
タッチスクリーンデバイスと、カメラデバイスと、内部時計と、測位モジュールと、近距離無線通信モジュールと、方位センサと、コンピュータとを備えた携帯式電子デバイスに読み込ませて実行することにより、当該携帯式電子デバイスを請求項６又は７記載の携帯式電子デバイスとして機能させることを特徴とするプログラム。
【発明の詳細な説明】
【技術分野】
【０００１】
本発明は、写真の撮影及び管理を行うための携帯式電子デバイス技術に関し、特に、定点経時変化調査などにおいて同一地点の事前・事後の写真を撮影・管理する用途で用いられる携帯式電子デバイス技術に関する。
【背景技術】
【０００２】
同一地点の事前・事後の写真を撮影するのに用いられる携帯式電子デバイスとしては、特許文献１−５に記載のものが公知である。特許文献１−５に記載の携帯式電子デバイスは、同一地点を複数回撮影する場合に於いて、以前に撮影した画像を電子ビューファインダ画像に下敷画像として重畳表示することにより、撮影アングルが前回の撮影と一致しているか否かを判定できるように構成したものである。
【０００３】
特許文献１に記載の電子カメラは、カメラ内の保存記憶手段（フラッシュメモリ）に、撮影画像とその撮影画像が定点撮影モードである旨を示す情報とを関連づけて保存しておき、定点撮影時には定点撮影モードの撮影画像を表示手段（液晶表示装置）に表示させてユーザによる選択を促し、選択された撮影画像を構図画像（下敷画像）として、撮影待機時に、被写体画像（電子ビューファインダ画像）と選択された構図画像とを表示手段に重畳表示するようにしたものである。この場合、構図画像は、元の撮影画像の輪郭抽出画像、単色化画像、淡色化画像等が用いられる。これにより、被写体画像が構図画像に一致するように撮影アングルを決めて撮影を行うことで、前回の撮影と同じ撮影アングルで撮影を行うことができる。
【０００４】
特許文献２に記載の撮像装置も、同様に、「すかし撮影モード」としたときに、電子ビューファインダ画像と、以前に撮影した撮影済画像から選択されたテンプレート画像を淡色化処理して重畳表示させるように構成している。特許文献３，４に記載の撮像装置も同様である。
【先行技術文献】
【特許文献】
【０００５】
【特許文献１】特開２００２−９４８５４号公報
【特許文献２】特開２０１６−４６６７６号公報
【特許文献３】米国特許公開２００５／０２６４６６８号明細書
【特許文献４】米国特許公開２００９／００１５７０２号明細書
【特許文献５】特開２００８−１９９４１１号公報
【非特許文献】
【０００６】
【非特許文献１】西田佳史，中嶋信生，服部聖彦，「歩行者用自律航法のための高精度絶対方位取得法の研究」，電子情報通信学会 2010年ソサイエティ大会講演論文集，一般社団法人電子情報通信学会，2010年8月31日，B-20-5．
【非特許文献２】鵜沼宗利，倉田謙一郎，外山敦也，堀江武，「人の歩行動作認識技術を応用した自律的位置検出手法」，電子情報通信学会論文誌. A, 基礎・境界，一般社団法人電子情報通信学会，2004年1月1日，J87-A(1), pp.78-86．
【非特許文献３】興梠正克，蔵田武志，「組み込み型GPS・自蔵式センサシステムによる屋内外歩行者ナビ(一般セッション(3), 人の検出・計測・認識) 」，電子情報通信学会技術研究報告. PRMU，パターン認識・メディア理解，一般社団法人電子情報通信学会，2006年5月19日，Vol.106，No.73，pp.7580．
【非特許文献４】古舘達也，豊瀬冬実，堀川三好，菅原光政，「受信電波強度を用いた位置測定手法の提案」，情報処理学会 第76回全国大会講演論文集，一般社団法人情報処理学会，Vol.76，No.3, pp.3.207-3.208．
【非特許文献５】佐藤智美，小宮山哲，下田雅彦，劉渤江，横田一正，「Bluetoothの電波強度を用いた位置推定方式の検討」，DEIM Forum 2011，B9-4，2011年，＜URL：http://db-event.jpn.org/deim2011/proceedings/pdf/b9-4.pdf＞．
【非特許文献６】重松史哉・川村祐介・島村和典，「RFIDとGPSを利用したロケーション情報統合方式の一提案」，電子情報通信学会技術研究報告 (ISSN: 0913-5685)，一般社団法人電子情報通信学会，vol.109, no.382, pp.51-55.
【非特許文献７】興梠正克・蔵田武志，「慣性センサ群とウェアラブルカメラを用いた歩行動作解析に基づくパーソナルポジショニング手法」，電子情報通信学会技術研究報告. PRMU, パターン認識・メディア理解，一般社団法人電子情報通信学会，2004年3月11日，vol.103, no.737, pp.25-30.
【非特許文献８】藤吉弘亘，「電子情報通信学会・知識ベース  知識の森・２群・２編・４章  動画解析」，［online］，２０１０年９月，一般社団法人電子情報通信学会，［２０１６年８月１０日検索］，インターネット，＜URL：http://www.ieice-hbkb.org/portal/doc_208.html＞
【発明の概要】
【発明が解決しようとする課題】
【０００７】
工損調査や、ダムやトンネルの亀裂定点調査等に於いては、長期間に亘って同一地点を定期的に撮影し、亀裂等の経時変化を調査・記録する必要がある。この際、同一地点を撮影するときに撮影アングルを同一とする必要があるため、上記背景技術に挙げたような電子ビューファインダ画像に下敷画像として重畳表示する技術を利用すると効果的である。
【０００８】
一方、工損調査や亀裂定点調査においては、一般に撮影する地点数が非常に多く、多数の地点を撮り残しなく撮影していく必要がある。しかし、従来技術に挙げたものは、下敷画像となる撮影済画像（事前画像）のサムネイルをディスプレイに一覧表示し、それらの中から下敷画像を選択して撮影を行うというものであり、どの撮影地点について事後画像の撮影が完了したのかは別途に管理する必要があるため、人為的な失誤による撮り残しが生じやすいという問題がある。また、フィルムや記憶デバイス内に保存された撮影した写真データと調査・撮影地点とを対応付けて別途管理する必要があるなど、管理作業が大変に煩雑であ作業労力も大きいという問題がある。
【０００９】
そこで、本発明の目的は、工損調査や定点経時変化調査などにおいて同一地点の事前・事後の写真を撮影する際に、人為的な失誤による撮り残しの発生を効果的に防止することが可能な写真撮影・管理用の携帯式電子デバイスを提供することにある。
【００１０】
また、本発明の他の目的は、同一地点の事前・事後の写真の管理を行う際に、撮影地点の記録・管理が容易な写真撮影・管理用の携帯式電子デバイスを提供することにある。
【００１１】
また、本発明の他の目的は、同一地点の事前・事後の写真の管理を行う際に、撮影アングルの位置合わせを従来よりもさらに容易とする写真撮影・管理用の携帯式電子デバイスを提供することにある。
【課題を解決するための手段】
【００１２】
本発明に係る携帯式電子デバイスの第１の構成は、タッチスクリーンデバイスと、カメラデバイスと、内部時計とを備えた写真撮影・管理用の携帯式電子デバイスであって、
前記カメラデバイスにより撮影された画像を画像ファイルとして保存する画像記憶手段と、
前記画像記憶手段に保存された画像を、当該画像の撮影日時情報、及び撮影場所情報を含む画像管理情報と関連づけて管理する写真管理データベースと、
前記写真管理データベースに登録された前記各画像管理情報を読み出し、
同じ撮影場所の各撮影日時の画像を、撮影日時が前の画像である事前画像、撮影日時が後の画像である事後画像の順に横並びにして画像組とし、これらの画像組を縦列した撮影画像リストを作成し、当該撮影画像リストを、前記タッチスクリーンデバイスの画面に表示するとともに、
前記撮影画像リストに於いて、前記事後画像が前記画像記憶手段内に保存されていない場合には、前記事後画像に代えて未撮影であることを示す未撮影示教画像を表示する画像リスト表示手段と、
前記撮影画像リストにおいて、前記タッチスクリーンデバイスにより前記撮影画像リスト内の前記未撮影示教画像が選択された場合において、
前記カメラデバイスからリアルタイムで取り込まれる電子ビューファインダ画像に、当該撮影ボタン画像が属する画像組の前記事前画像から生成される下敷画像を重畳表示してファインダ重畳画像を生成し、
当該ファインダ重畳画像と、撮像実行指示を入力するためのタップ操作位置を示すシャッターボタン画像とを含む下敷付ファインダ画面を前記タッチスクリーンデバイスの画面に表示する下敷付ファインダ画面表示手段と、
前記下敷付ファインダ画面において、前記タッチスクリーンデバイスにより前記シャッターボタン画像が選択された場合、その選択時点の前記電子ビューファインダ画像を前記事後画像として前記画像記憶手段に保存するとともに、前記内部時計から取り込まれる当該事後画像の撮影日時情報、及び前記ファインダ重畳画像の下敷画像として用いられた前記事前画像の撮影場所情報を含む画像管理情報と関連づけて当該事後画像を前記写真管理データベースに登録する事後画像取込手段と、を備え、
前記画像リスト表示手段は、前記事後画像取込手段により前記事後画像が前記写真管理データベースに新たに登録された場合、新たに登録された当該事後画像を含む前記撮影画像リストを、前記タッチスクリーンデバイスの画面に再表示することを特徴とする。
【００１３】
この構成によれば、画像リスト表示手段により表示される撮影画像リストにおいて、事後画像がまだ撮影されていない場合（画像記憶手段内に事後画像がない場合）には、画像組の事後画像表示領域には未撮影示教画像が表示され、事後画像がまだ撮影済の場合には、画像組の事後画像表示領域には事後画像が表示されるため、ユーザは撮影画像リストを一瞥して事後写真がまだ撮影されていない画像組を即座に視認することが可能となる。従って、人為的な失誤による撮り残しの発生を効果的に防止することが可能となる。
【００１４】
ここで、画像の「撮影日時情報」とは、当該画像の撮影日時の情報をいう。画像の「撮影場所情報」とは、当該画像の撮影場所に関する情報をいう。撮影場所情報としては、例えば、ＧＮＳＳ（Global Navigation Satellite System）デバイス等を用いて取り込まれる緯度・経度・高度の情報や、別に準備された建物等の図面に記入される位置を示す符号などが用いられる。「下敷画像」とは、事前画像から生成される画像であって撮影アングルを決める際の基準として用いられる画像をいい、例えば、事前画像を半透明化した画像、事前画像をエッジ抽出処理により細線化した画像等を用いることができる。「電子ビューファインダ画像」とは電子ビューファインダの画像をいう。「電子ビューファインダ」（electronic viewfinder：ＥＶＦ）とは、通常のデジタルカメラ、携帯電話、スマートフォン等で広く用いられているような、表示装置（この場合、タッチスクリーンデバイスのディスプレイ）の画面上に撮像素子（カメラデバイス）に入力される被写体の映像信号をリアルタイムに映して確認できるようにした方式のファインダをいう。
【００１５】
本発明に係る携帯式電子デバイスの第２の構成は、前記第１の構成に於いて、前記撮影画像リストにおいて、前記タッチスクリーンデバイスにより前記撮影画像リスト内の前記事前画像が選択された場合において、前記画像記憶手段から当該事前画像を読み出して前記タッチスクリーンデバイスに表示するとともに、接写撮影実行指示を入力するためのタップ操作位置を示す接写ボタン画像を前記タッチスクリーンデバイスに表示する撮影済画像表示手段と、
前記タッチスクリーンデバイスにより前記接写ボタン画像が選択された場合、前記タッチスクリーンデバイスに、前記カメラデバイスからリアルタイムで取り込まれる電子ビューファインダ画像及び撮像実行指示を入力するためのタップ操作位置を示すシャッターボタン画像を含む接写ファインダ画面を表示する接写ファインダ画面表示手段と、
前記接写ファインダ画面において、前記タッチスクリーンデバイスにより前記シャッターボタン画像が選択された場合、その選択時点の前記電子ビューファインダ画像を前記事前画像として前記画像記憶手段に保存するとともに、前記内部時計から取り込まれる当該事前画像の撮影日時情報、及び先に前記接写ボタン画像が選択された際に前記タッチスクリーンデバイスに表示されていた前記事前画像の前記撮影場所情報を含む画像管理情報と関連づけて当該事前画像を前記写真管理データベースに登録する接写画像取込手段と、を備え、
前記画像リスト表示手段は、前記接写画像取込手段により前記事前画像が前記写真管理データベースに新たに登録された場合、新たに登録された当該事前画像を含む前記撮影画像リストを、前記タッチスクリーンデバイスの画面に再表示することを特徴とする。
【００１６】
この構成によれば、全体撮影のみでは不十分な撮影地点に於いて接写撮影を行う際に、接写画像を記録・整理する作業が容易となり、撮影・記録作業を効率化することができる。
【００１７】
本発明に係る携帯式電子デバイスの第３の構成は、前記第１又は２の構成に於いて、前記下敷付ファインダ画面表示手段は、前記下敷付ファインダ画面において、前記下敷画像の元である前記事前画像に対する前記電子ビューファインダ画像の位置ずれベクトルをリアルタイムに演算し、算出された位置ずれベクトルに応じて、前記カメラデバイスの向きを動かすべき方向を指示する撮影アングル補正指示マークを前記タッチスクリーンデバイスの画面内に表示する撮影アングル補正指示手段を備えていることを特徴とする。
【００１８】
このように、撮影アングル補正指示マークを表示することによって、ユーザは、携帯式電子デバイスをどの方向に動かして撮影アングルを合わせればよいのかを一瞥して即座に視認することができ、位置合わせ作業の効率が向上する。
【００１９】
ここで、位置ずれベクトルの演算については、被写体追跡等の計算で用いられるテンプレートマッチング（ブロックマッチング）法、アクティブ探索法、Mean Shift法、パーティクルフィルタなどの公知の手法を応用して行うことができる（例えば、非特許文献８参照）。
【００２０】
本発明に係る携帯式電子デバイスの第４の構成は、前記第１乃至３の何れか一の構成に於いて、前記下敷付ファインダ画面表示手段は、前記下敷付ファインダ画面において、前記下敷画像の元である前記事前画像に対する前記電子ビューファインダ画像の位置ずれベクトルをリアルタイムに演算し、
前記事後画像取込手段は、前記下敷付ファインダ画面表示手段が算出する位置ずれベクトルを参照して、前記下敷画像に対する前記電子ビューファインダ画像の位置ずれ量が所定の閾値を下回ったときに、撮影アングルが合致したことを報知する撮影アングル合致報知手段を備えていることを特徴とする。
【００２１】
これにより、ユーザは、撮影アングルがうまく合致したか否かを一瞥して即座に視認することができ、位置合わせ作業の効率が向上する。
【００２２】
本発明に係る携帯式電子デバイスの第５の構成は、前記第１乃至３の何れか一の構成に於いて、前記下敷付ファインダ画面表示手段は、前記下敷付ファインダ画面において、前記下敷画像の元である前記事前画像に対する前記電子ビューファインダ画像の位置ずれベクトルをリアルタイムに演算し、
前記事後画像取込手段は、前記下敷付ファインダ画面表示手段が算出する位置ずれベクトルを参照して、前記下敷画像に対する前記電子ビューファインダ画像の位置ずれ量が所定の閾値を下回ったときに、その選択時点の前記電子ビューファインダ画像を前記事後画像として前記画像記憶手段に保存するとともに、前記内部時計から取り込まれる当該事後画像の撮影日時情報、及び前記ファインダ重畳画像の下敷画像として用いられた前記事前画像の撮影場所情報を含む画像管理情報と関連づけて当該事後画像を前記写真管理データベースに登録することを特徴とする。
【００２３】
これにより、ユーザは、撮影アングルがうまく合致した場合に自動撮影することができ、位置合わせ撮影作業の効率が向上する。
【００２４】
本発明に係る携帯式電子デバイスの第６の構成は、前記第１乃至５の何れか一の構成に於いて、現在位置の測位を行う測位モジュールと、
近距離無線通信を行う近距離無線通信モジュールと、
現在の方位を検出する方位センサと、
前記測位モジュールにより現在の絶対位置を検出し、
前記近距離無線通信モジュールにより撮影対象の位置に設置されるＲＦタグとの間で無線通信を行い、当該ＲＦタグまでの距離を検出し、
前記方位センサにより前記カメラデバイスの撮影視軸の視軸方位を検出し、
これらの検出された絶対位置、ＲＦタグまでの距離、視軸方位に基づき、前記ＲＦタグの絶対位置を算出する撮影位置演算手段と、を備え、
前記画像リスト表示手段は、前記撮影画像リストに加えて、新規事前画像を追加するリスト追加指示を入力するためのタップ操作位置を示すリスト追加ボタン画像を、前記タッチスクリーンデバイスの画面に表示するものであり、
前記タッチスクリーンデバイスにより前記リスト追加ボタン画像が選択された場合、前記タッチスクリーンデバイスに、前記カメラデバイスからリアルタイムで取り込まれる電子ビューファインダ画像及び撮像実行指示を入力するためのタップ操作位置を示すシャッターボタン画像を含む通常ファインダ画面を表示する通常ファインダ画面表示手段と、
前記通常ファインダ画面において、前記タッチスクリーンデバイスにより前記シャッターボタン画像が選択された場合、その選択時点の前記電子ビューファインダ画像を前記事前画像として前記画像記憶手段に保存するとともに、前記内部時計から取り込まれる当該撮影画像の撮影日時情報、及び前記撮影位置演算手段により算出された前記ＲＦタグの絶対位置からなる撮影場所情報を含む画像管理情報と関連づけて当該事前画像を前記写真管理データベースに登録する新規追加画像取込手段と、を備え、
前記画像リスト表示手段は、前記新規追加画像取込手段により前記事前画像が前記写真管理データベースに新たに登録された場合、新たに登録された当該事前画像を含む前記撮影画像リストを、前記タッチスクリーンデバイスの画面に再表示することを特徴とする。
【００２５】
この構成によれば、撮影位置演算手段によって撮影対象の位置に設置されるＲＦタグの位置を自動的に取得して撮影された画像と関連づけて写真管理データベースに登録されるため、撮影対象の位置を別途用意した図面（例えば、工損調査であれば各調査物件の壁や天井の図面）に記録（スケッチ）していく必要がなくなるため、撮影・記録作業の効率が大幅に向上する。また、例えばダムの壁面の亀裂の定点経過調査のように、調査物件が広大で図面での位置特定作業が困難な場合でも、撮影対象の絶対位置を記録することにより、撮影対象の位置の記録が容易に行うことができる。
【００２６】
ここで、「測位モジュール」としては、全地球測位システムを用いて現在位置の測位を行うＧＮＳＳモジュールや、Wi-Fi（登録商標）やBluetooth（登録商標）やZigBee（登録商標）等を用いた町中や屋内や地下空間などにおけるローカルポジショニングシステム（local positioning system ：ＬＰＤ）を用いて現在位置の測位を行うＬＰＤモジュール等を用いることができる。「方位センサ」としては、地磁気を検出することにより方位を検出する電子コンパス（地磁気方位センサ）や、地下空間や建物内における地磁気の乱れの補正を行うために地磁気方位センサとジャイロセンサや加速度センサを併用した方位センサ（例えば、非特許文献１，２参照）等を用いることができる。「撮影視軸」とは、カメラデバイスの撮像面の中心と撮影対象の撮影中心点（注視点）とを結ぶ光軸線をいう。「視軸方位」とは、撮影視軸の方位（水平方向の方位角、又は水平方向の方位角及び垂直方向の仰角）をいう。
【００２７】
本発明に係る携帯式電子デバイスの第７の構成は、前記第１乃至６の何れか一の構成に於いて、前記下敷付ファインダ画面又は前記通常ファインダ画面において、前記タッチスクリーンデバイスにより前記シャッターボタン画像が選択された場合、前記タッチスクリーンデバイス上に、その選択時点の前記電子ビューファインダ画像である撮影画像を含む画像編集画面を表示する画像編集手段と、
前記撮影画像において、予め登録されたスケールの基準となるスケール基準画像を探索し、前記スケール基準画像が索出された場合には、前記撮影画像内における前記スケール基準画像のサイズに基づき、前記撮影画像上のサイズに対する実際の被写体のサイズの比であるサイズ換算比を算出するサイズ換算比算出手段と、
前記サイズ換算比算出手段により前記サイズ換算比が算出された場合、前記画像編集画面上の前記撮影画像において前記タッチスクリーンデバイスにより２点が指定された場合に、前記撮影画像上における当該２点間の距離Ｌ１を算出し、当該距離Ｌ１に前記サイズ換算比を乗じて被写体における当該２点間の距離Ｌ２を算出し、前記画像編集画面内に表示するサイズ計測手段と、を備えたことを特徴とする。
【００２８】
この構成によれば、撮影画像内のスケール基準画像を用いて、画像編集画面上の撮影画像の２点をタッチスクリーンデバイスにより指定することで、実際の被写体上の対応する２点間距離を自動測定することができる。これにより、被写体上で実際の測定を行わずとも、画像編集画面上において距離の計測や記録を行うことが可能となり、調査における作業効率が向上する。
【００２９】
本発明に係る携帯式電子デバイスの写真撮影・管理用プログラムは、タッチスクリーンデバイスと、カメラデバイスと、内部時計と、コンピュータとを備えた携帯式電子デバイスに読み込ませて実行することにより、当該携帯式電子デバイスを前記第１乃至５の何れか一の構成の携帯式電子デバイスとして機能させることを特徴とする。
【００３０】
また、本発明に係る携帯式電子デバイスの写真撮影・管理用プログラムは、タッチスクリーンデバイスと、カメラデバイスと、内部時計と、測位モジュールと、近距離無線通信モジュールと、方位センサと、コンピュータとを備えた携帯式電子デバイスに読み込ませて実行することにより、当該携帯式電子デバイスを前記第６又は７の構成の携帯式電子デバイスとして機能させることを特徴とする。
【発明の効果】
【００３１】
以上のように本発明の携帯式電子デバイスによれば、画像リスト表示手段により表示される撮影画像リストにおいて、事後画像がまだ撮影されていない場合（画像記憶手段内に事後画像がない場合）には、画像組の事後画像表示領域には未撮影示教画像が表示され、事後画像がまだ撮影済の場合には、画像組の事後画像表示領域には事後画像が表示されるため、ユーザは撮影画像リストを一瞥して事後写真がまだ撮影されていない画像組を視認することが可能となる。従って、人為的な失誤による撮り残しの発生を効果的に防止することが可能となる。
【図面の簡単な説明】
【００３２】
【図１】本発明の実施例１の携帯式電子デバイスの外観図である。（ａ）正面図、（ｂ）背面図。
【図２】本発明の実施例１の携帯式電子デバイスのハードウェア構成を表す図である。
【図３】図１の携帯式電子デバイスにアプリケーション・プログラムをインストールして構成される実施例１の携帯式電子デバイスの機能構成を表すブロック図である。
【図４】図３の写真管理データベース３２の構成を表すＥＲ図（Entity Relationship Diagram）である（IDEF1X記法準拠）。
【図５】実施例１の携帯式電子デバイスにおける画面表示の遷移を表す図である。
【図６】実施例１の携帯式電子デバイスにおける画面表示の遷移を表す図である。
【図７】実施例１の携帯式電子デバイスにおける画面表示の遷移を表す図である。
【図８】実施例１の携帯式電子デバイスにおける画面表示の遷移を表す図である。
【図９】実施例１の携帯式電子デバイスにおける画面表示の遷移を表す図である。
【図１０】事前画像の接写撮影時における調査管理テーブルへの登録処理及び撮影画像リスト画面の再表示処理を説明する図である。
【図１１】事後画像の接写撮影時における調査管理テーブルへの登録処理及び撮影画像リスト画面の再表示処理を説明する図である。
【図１２】事後撮影時における調査写真追加撮影処理を説明する図である。
【図１３】実施例２の写真管理データベース３２における調査管理テーブルの構造を表す図である。
【図１４】実施例２の携帯式電子デバイス１を用いて被写物件の撮影を行う様子の一例を示す図である。（ａ）ＲＦタグ付きクラックスケールを用いて撮影する例、（ｂ）ＲＦタグ付き指し棒を用いて撮影する例。
【図１５】実施例３における事後画像撮影時の電子ビューファインダ画面を表す図である。（ａ）位置ずれ量が所定の閾値以上の場合、（ｂ）位置ずれ量が所定の閾値を下回った場合。
【図１６】実施例４の携帯式電子デバイス１における、写真管理データベース３２の調査管理テーブルの具体的なデータ内容の一例を表す図である。（ａ）調査管理テーブルの内容の具体例、（ｂ）調査管理テーブル内に格納される調査レコードのうち、一つの定点に対する一連の調査レコード間の関係を表した図。
【図１７】実施例４の携帯式電子デバイス１における撮影画像リスト画面の中の定点調査に対する一つの写真欄１１５ａの表示例を表す図である。
【図１８】実施例４の携帯式電子デバイス１における撮影画像リスト画面を表す図である。
【図１９】図１の携帯式電子デバイスにアプリケーション・プログラムをインストールして構成される実施例５の携帯式電子デバイスの機能構成を表すブロック図である。
【図２０】被写物件Ａとともにスケール基準物Ｐを撮影する例を示した図である。
【図２１】実施例５におけるポインタ編集モードの画像編集画面を表す図である。
【図２２】実施例５におけるポインタ編集モードの画像編集画面を表す図である。
【図２３】実施例６におけるポインタ編集モードの画像編集画面を表す図である。
【発明を実施するための形態】
【００３３】
以下、本発明を実施するための形態について、図面を参照しながら説明する。
【実施例１】
【００３４】
実施例１では、本発明を、工損調査の写真撮影・管理用のシステムとして応用した例について示す。
【００３５】
（１）ハードウェア構成
図１は、本発明の実施例１の携帯式電子デバイスの外観図である。図１において、本実施例の携帯式電子デバイス１は、通常のスマートフォン又はタブレット端末のようにコンピュータを内蔵した携帯端末によって構成されており、正面側にタッチスクリーンデバイス２、背面側にカメラデバイス３を備えている。
【００３６】
図２は、本発明の実施例１の携帯式電子デバイスのハードウェア構成を表す図である。図２において、携帯式電子デバイス１は、タッチスクリーンデバイス２、カメラデバイス３、ＧＮＳＳモジュール４、携帯回線通信モジュール５、近距離無線通信モジュール６、加速度センサ７、方位センサ８、気圧センサ９、ジャイロセンサ１０、入出力バス１９、Ｉ／Ｏサブシステム２０、ストレージ・デバイス２１、ストレージ・コントローラ２２、周辺インタフェース２３、プロセッサ２４、内部時計２５、メモリ２６、及びメモリ・バス２７を備えている。
【００３７】
タッチスクリーンデバイス２は、タッチパネルを備えて画面を指で触れることにより文字の入力やメニューの選択ができるディスプレイである。カメラデバイス３は、撮像素子を備え撮像素子で撮影した画像を出力するデバイスである。ＧＮＳＳモジュール４は、全地球測位システム（Global Positioning System：ＧＰＳ）や準天頂衛星システム（Quasi-Zenith Satellite System：ＱＺＳＳ）のような汎地球航法衛星システム（Global Navigation Satellite System：ＧＮＳＳ）を用いて現在位置の測位を行い経度・緯度・高度の位置情報を出力するデバイスである。携帯回線通信モジュール５は、通常の携帯電話回線を介して外部との通信を行うモジュールである。近距離無線通信モジュール６は、数センチ〜数十メートル程度の近距離で無線通信を行うモジュールである。加速度センサ７は、携帯式電子デバイス１の本体の加速度ベクトルを検出するセンサである。方位センサ８は、地磁気を検出することによりカメラデバイス３の視線方位を検出するセンサである。気圧センサ９は、携帯式電子デバイス１の周囲の気圧を検出するセンサである。
【００３８】
Ｉ／Ｏサブシステム２０は、タッチスクリーンデバイス２、カメラデバイス３、ＧＮＳＳモジュール４、携帯回線通信モジュール５、及び近距離無線通信モジュール６の各デバイス又はモジュールと、周辺インタフェース２３との間の入出力を制御するコントローラである。前記各デバイス又はモジュールは、それぞれ、Ｉ／Ｏサブシステム２０内の、ディスプレイ・コントローラ２０ａ、カメラ入力コントローラ２０ｂ、ＧＮＳＳコントローラ２０ｃ、携帯回線通信コントローラ２０ｄ、及び近距離無線通信コントローラ２０ｅにより制御される。ストレージ・デバイス２１は、ソリッドステートドライブ（ＳＳＤ）や磁気ディスクドライブ（ＨＤＤ）により構成され、画像ファイル等のデータやプログラム等を記憶する記憶装置である。ストレージ・コントローラ２２は、ストレージ・デバイス２１と入出力バス１９との間の入出力制御を行うコントローラである。周辺インタフェース２３は、Ｉ／Ｏサブシステム２０及び各種センサ（加速度センサ７，方位センサ８，気圧センサ９，ジャイロセンサ１０）と入出力バス１９との間の入出力制御を行うコントローラである。プロセッサ２４は、プログラムを実行して装置全体の制御を行う。内部時計２５は、現在時刻を出力する。メモリ２６はＤＲＡＭ等の内部メモリであり、メモリ・バス２７はプロセッサ２４とメモリ２６の間で通信を行うバスである。
【００３９】
（２）機能構成
本実施例の携帯式電子デバイスは、図２のようなコンピュータを内蔵するハードウェアに、アプリケーション・プログラムを読み込ませて実行することによってソフトウェアベースで構成される。図３は、図１の携帯式電子デバイス１にアプリケーション・プログラムをインストールして構成される実施例１の携帯式電子デバイスの機能構成を表すブロック図である。尚、図３には、本発明に関連する機能構成部分のみを示し、それ以外の機能構成に関しては省略している。また、本実施例に於いて、当該アプリケーション・プログラムは、携帯回線通信モジュール５により、携帯回線を介して外部のサーバからダウンロードし、携帯式電子デバイス１にインストールされるものとする。
【００４０】
図３において、タッチスクリーンデバイス２、カメラデバイス３、ＧＮＳＳモジュール４、近距離無線通信モジュール６、加速度センサ７、方位センサ８、気圧センサ９、ジャイロセンサ１０、及び内部時計２５は、図２において同符号を附した構成部分に対応する。これらの構成部分に加えて、さらに本実施例の携帯式電子デバイスは、機能構成として、画像ファイル記憶部３１、写真管理データベース３２、撮影位置演算部３３、画像リスト表示部３４、撮影済画像表示部３５、下敷付ファインダ画面表示部３６、事後画像取込部３７、新地点レコード追加部３８、通常ファインダ画面表示部３９、新規追加画像取込部４０、接写ファインダ画面表示部４１、接写画像取込部４２、白板表示・編集部４３、画像編集部４４、ログイン部５１、調査一覧表示部５２、新規調査登録部５３、調査選択部５４、及び所有者登録部５５を備える。これらは、Ｉ／Ｏサブシステム２０、ストレージ・デバイス２１、ストレージ・コントローラ２２、周辺インタフェース２３、プロセッサ２４が協働してアプリケーション・プログラムを実行することによって実現される。
【００４１】
画像ファイル記憶部３１は、カメラデバイス３により撮影された画像を画像ファイルとして保存する。写真管理データベース３２は、画像ファイル記憶部３１に保存された画像を、当該画像の撮影日時情報、及び撮影場所情報を含む画像管理情報と関連づけて管理するデータベースである。
【００４２】
撮影位置演算部３３は、携帯式電子デバイス１の絶対位置（緯度・経度・高度）を検出する。ここで、撮影位置演算部３３は、ＧＮＳＳモジュール４（及び気圧センサ９）により得られる位置情報、又は近距離無線通信モジュール６（Wi-Fi（登録商標）、Bluetooth（登録商標）、ZigBee（登録商標）等）を用いて実現されるローカルポジショニングシステム（local positioning system ：ＬＰＳ）により得られる位置情報により、現在の絶対位置（緯度・経度・高度）を検出する。なお、ＬＰＳについては、現在、Wi-Fiを利用する方式やBluetoothを利用する方式など様々な方式が公開されており（例えば、非特許文献３−５参照）、本発明とは直接関係はないので詳細な説明は省略する。
【００４３】
画像リスト表示部３４は、写真管理データベース３２に登録された各画像管理情報を読み出し、撮影画像リストをタッチスクリーンデバイス２の画面上に表示する。ここで、撮影画像リストは、同じ撮影場所の各撮影日時の画像を、撮影日時が前の画像である事前画像、撮影日時が後の画像である事後画像の順に横並びして画像組とし、これらの画像組を縦列したリストである。表示する事前画像及び事後画像はサムネイル（縮小画像）とされる。また、撮影画像リストに於いて、事後画像が画像ファイル記憶部３１内に保存されていない場合には、事後画像に代えて未撮影であることを示す未撮影示教画像（例えば、カメラマークなど）が表示される。また、画像リスト表示部３４は、上記撮影画像リストに加え、リスト追加ボタン画像（新規事前画像を追加するリスト追加指示を入力するためのタップ操作位置を示すボタン画像）をタッチスクリーンデバイス２の画面上に表示する。
【００４４】
撮影済画像表示部３５は、上記の撮影画像リストにおいて、タッチスクリーンデバイス２により撮影画像リスト内の事前画像又は前記事後画像が選択（タップ）された場合において、画像ファイル記憶部３１から当該事前画像又は事後画像を読み出してタッチスクリーンデバイス２に表示するとともに、接写ボタン画像（接写撮影実行指示を入力するためのタップ操作位置を示すボタン画像）をタッチスクリーンデバイス２に表示する。
【００４５】
下敷付ファインダ画面表示部３６は、上記の撮影画像リストにおいて、タッチスクリーンデバイス２により撮影画像リスト内の未撮影示教画像が選択された場合において、ファインダ重畳画像と、シャッターボタン画像（撮像実行指示を入力するためのタップ操作位置を示すボタン画像）とを含む下敷付ファインダ画面をタッチスクリーンデバイス２の画面に表示する。ここで、ファインダ重畳画像とは、カメラデバイス３からリアルタイムで取り込まれる電子ビューファインダ画像に、下敷画像を重畳表示して生成される画像、即ち、下敷画像が重畳表示された電子ビューファインダの画像である。下敷画像は、選択された撮影ボタン画像が属する画像組の事前画像に対し、淡色化処理、単色化処理、輪郭抽出処理等を行うことによって生成される。
【００４６】
事後画像取込部３７は、上述の下敷付ファインダ画面において、タッチスクリーンデバイス２によりシャッターボタン画像が選択された場合、その選択時点の電子ビューファインダ画像を事後画像として取り込み、画像ファイル記憶部３１に保存する。また、事後画像取込部３７は、内部時計２５から取り込まれる当該事後画像の撮影日時情報、及びファインダ重畳画像の下敷画像として用いられた事前画像の撮影場所情報を含む画像管理情報と関連づけて、当該事後画像を写真管理データベース３２に登録する。
【００４７】
新地点レコード追加部３８は、上述の撮影画像リストがタッチスクリーンデバイス２に表示されている状態に於いて、タッチスクリーンデバイス２によりリスト追加ボタン画像が選択された場合、追加する撮影ポイントに関する情報（以下「追加撮影地点情報」）を入力するための撮影地点情報入力画面をタッチスクリーンデバイス２に表示する。また、新地点レコード追加部３８は、当該撮影地点情報入力画面に、撮影開始指示を入力するためのタップ操作位置を示す撮影開始ボタン画像を表示する。そして、タッチスクリーンデバイス２により撮影地点情報入力画面から追加撮影地点情報が入力され、撮影開始ボタン画像が選択（タップ）されると、新地点レコード追加部３８は、当該追加撮影地点情報を写真管理データベース３２に新規レコードとして登録する。
【００４８】
通常ファインダ画面表示部３９は、タッチスクリーンデバイス２に撮影地点情報入力画面が表示された状態に於いて、タッチスクリーンデバイス２により撮影開始ボタン画像が選択（タップ）された場合、タッチスクリーンデバイス２に、カメラデバイス３からリアルタイムで取り込まれる電子ビューファインダ画像と、撮像実行指示を入力するためのタップ操作位置を示すシャッターボタン画像とを含む通常ファインダ画面を表示する。
【００４９】
新規追加画像取込部４０は、上述の通常ファインダ画面において、タッチスクリーンデバイス２によりシャッターボタン画像が選択（タップ）された場合、その選択時点の電子ビューファインダ画像を、事前画像として画像ファイル記憶部３１に保存する。また、新規追加画像取込部４０は、内部時計２５から取り込まれる当該撮影画像の撮影日時情報、及び撮影場所情報を含む画像管理情報と関連づけて、当該事前画像を写真管理データベース３２に登録する。
【００５０】
接写ファインダ画面表示部４１は、タッチスクリーンデバイス２により、撮影済画像表示部３５がタッチスクリーンデバイス２に表示した接写ボタン画像が選択（タップ）された場合、タッチスクリーンデバイス２に、カメラデバイス３からリアルタイムで取り込まれる電子ビューファインダ画像及び撮像実行指示を入力するためのタップ操作位置を示すシャッターボタン画像を含む接写ファインダ画面を表示する。
【００５１】
接写画像取込部４２は、上述の接写ファインダ画面において、タッチスクリーンデバイス２によりシャッターボタン画像が選択された場合、その選択時点の電子ビューファインダ画像を事前画像として画像ファイル記憶部３１に保存する。また、接写画像取込部４２は、内部時計２５から取り込まれる当該事前画像の撮影日情報、及び先に接写ボタン画像が選択された際にタッチスクリーンデバイス２に表示されていた事前画像又は事後画像の撮影場所情報を含む画像管理情報と関連づけて、当該事前画像を写真管理データベース３２に登録する。
【００５２】
白板表示・編集部４３は、写真管理データベース３２に画像管理情報として格納される白板情報の編集処理を行う。画像編集部４４は、新規追加画像取込部４０，事後画像取込部３７，接写画像取込部４２により撮影された画像に対して指示矢印や線画図形の挿入等の編集を行う。ログイン部５１は、ログイン処理を行う。調査一覧表示部５２は、登録されている調査項目リストを含む調査一覧画面の表示を行う。新規調査登録部５３は、調査一覧画面の調査項目リストに、新たな調査項目を追加する処理を行う。調査選択部５４は、調査一覧画面の調査項目リストの中から調査項目を選択する処理を行う。所有者登録部５５は調査物件の所有者情報の登録処理を行う。
【００５３】
（３）データベース構造
図４は、図３の写真管理データベース３２の構成を表すＥＲ図（Entity Relationship Diagram）である（IDEF1X記法準拠）。写真管理データベース３２には、所有者管理テーブル、調査纂録簿管理テーブル、及び調査管理テーブルが格納されており、これらの各テーブルは、図４に示したように関係づけられてリレーショナル・データベースが構成されている。
【００５４】
所有者管理テーブルは、工損調査対象物件の所有者に関する情報を格納するテーブルであり、“所有者ＩＤ”，“氏名”，“住所”，“電話番号”の各フィールドを有する。調査纂録簿管理テーブルは、各工損調査対象物件の調査纂録簿に関する情報を格納するテーブルであり、“調査纂録簿ＩＤ”，“調査纂録簿名”，“調査種別”，“所有者ＩＤ”，“表紙画像ファイル名”の各フィールドを有する。調査管理テーブルは、“調査ＩＤ”，“調査纂録簿ＩＤ”，“調査番号”，“日時”，“建物番号”，“写真番号”，“場所名称”，“調査名称”，“被写物件名称”，“被写対象”，“画像ファイル名”，“仕上”，“幅”，“長さ”，“損傷箇所数”，“撮影種別”，“事前調査ＩＤ”，“全体調査ＩＤ” の各フィールドを有する。各テーブルの各フィールドに格納される情報は、図４内の表に示した通りである。
【００５５】
ここで、調査管理テーブルの“調査名称”は、工損調査において行われる調査の種別を表し、「内部調査」，「外部調査」，「外構調査」，「傾斜調査」，「水準調査」の５つから選択される。「内部調査」は、床のタワミ・タイルの隙間・目地切れ・クロスの亀裂，隙間・塗り壁の亀裂，チリ切れ・天井の漏水跡等の調査、「外部調査」は、基礎の亀裂，破損・外壁の亀裂，目地切れ・屋根瓦のズレ等の調査、「外構調査」は、土間コンクリートの亀裂，隙間・犬走りの亀裂，隙間・塀の目地切れ・亀裂等の調査、「傾斜調査」は、柱の傾斜・敷居の傾斜・床の傾斜等の調査、「水準調査」は、の建物の隅や犬走りで地盤の沈下が発生したのかどうかを判定する為に水準測定に関する調査である。尚、“調査名称”は、必要に応じて適宜種類を追加できる。
【００５６】
（４）携帯式電子デバイスの動作
以上のように構成された本実施例の携帯式電子デバイス１について、その動作を説明する。図５〜図９は、実施例１の携帯式電子デバイスにおける画面表示の遷移を表す図である。
【００５７】
（ステップ１）（ログイン）
携帯式電子デバイス１にインストールされたアプリケーション・プログラムが起動すると、まず、ログイン部５１は、図５（ａ）のログイン画面をタッチスクリーンデバイス２に表示する。
【００５８】
ユーザが、このログイン画面において、タッチスクリーンデバイス２によりログインボタン１０１を選択すると、次に、調査一覧表示部５２は、図５（ｂ）の調査纂録簿リスト１０２を表示する。ここで、タッチスクリーンデバイス２における「選択」操作とは、一般のタッチスクリーンデバイスで広く行われている通り、そのスクリーン上で選択する箇所をタップする操作をいう。また、「調査纂録簿」とは、一の案件に対する一連の調査記録を纂録した帳簿をいう。例えば、“○○中学校第２体育館建設工事”に関する工損調査の場合、その工事案件において工損調査する一連の調査記録をまとめた帳簿が、当該工事案件についての調査纂録簿である。「調査纂録簿リスト」は、調査纂録簿の一覧表をいう。
【００５９】
（ステップ２）（調査纂録簿の選択）
調査纂録簿リスト１０２には、図５（ｂ）に示したように、現在工損調査が継続中の案件の調査纂録簿リスト１０２ａと、過去の工損調査の調査纂録簿リスト１０２ｂとに分けて表示され、また、タッチスクリーンデバイス２上の調査纂録簿リスト１０２の右上には、新規の調査纂録簿を追加する指示を入力するための、新規調査追加ボタン画像１０３が表示される。この画面に於いて、ユーザがタッチスクリーンデバイス２により新規調査追加ボタン画像１０３を選択した場合には、ステップ３の調査纂録簿リストに新規の調査纂録簿を追加するための処理に移行する。一方、ユーザが調査纂録簿リスト１０２内の各調査纂録簿のいずれかの項目を選択した場合には、図７（ａ）（調査纂録簿内に調査写真が存在しない場合）又は図８（ｄ）（調査纂録簿内に調査写真が存在する場合）の画面へ移行する。
【００６０】
（ステップ３）（調査纂録簿の新規追加）
新規調査追加ボタン画像１０３が選択された場合、新規調査登録部５３は、まず、タッチスクリーンデバイス２上に図５（ｃ）の初期登録画面を表示するとともに、写真管理データベース３２の調査纂録簿テーブルに新たなレコード（新規登録レコード）を追加する。この初期登録画面では、画面下部に調査開始指示ボタン画像１０４が表示される。
【００６１】
ユーザが、この初期登録画面において、タッチスクリーンデバイス２により調査開始指示ボタン画像１０４を選択すると、新規調査登録部５３は、ユーザに表示画像を撮影するのを促すために、タッチスクリーンデバイス２上に図５（ｄ）の電子ビューファインダ画面を表示する。この電子ビューファインダ画面は、通常のスマートフォンにおけるカメラ機能と同様に、中央にカメラデバイス３からリアルタイムに取り込まれる電子ビューファインダ画像１０５が表示され、その横にシャッターボタン画像１０６が表示される。ユーザは、カメラデバイス３を、新たに登録する調査案件の対象である調査対象物件に向けてシャッターボタン画像１０６を選択し、調査対象物件の外観写真の撮影を行う。この外観写真は、当該調査案件の調査纂録簿の表紙画像として用いられる。新規調査登録部５３は、シャッターボタン画像１０６が選択されると、その選択時点の電子ビューファインダ画像１０５を取り込み、新規調査登録部５３は、タッチスクリーンデバイス２上に図６（ａ）に示したような表紙写真確認画面を表示する。このとき、新規調査登録部５３は、撮影位置演算部３３が出力する現在の絶対位置情報（緯度・経度・標高）と、内部時計２５が出力する現在日時情報とを取り込み、これらの情報も表紙写真確認画面に表示する。
【００６２】
表紙写真確認画面では、中央に撮影された表紙画像１０７が表示され、下部に再撮影ボタン画像１０８及び表紙確定ボタン画像１０９が表示される。また、表紙画像１０７の下方左側の撮影位置表示領域１１０に撮影時の絶対位置情報が表示され、表紙画像１０７の下方右側の撮影時刻表示領域１１１に撮影時の日時情報が表示される。ユーザが、この表紙写真確認画面において、タッチスクリーンデバイス２により再撮影ボタン画像１０８を選択すると、図５（ｄ）の電子ビューファインダ画面に戻り、表紙画像の撮り直しを行うことができる。一方、ユーザが、表紙写真確認画面において、タッチスクリーンデバイス２により表紙確定ボタン画像１０９を選択すると、新規調査登録部５３は、表紙画像１０７を画像ファイル記憶部３１に保存し、その画像ファイル名を調査纂録簿テーブルの上記新規登録レコードの“表紙画像ファイル名”フィールドに登録する。このとき、新規調査登録部５３は、表紙画像１０７に、撮影位置の絶対位置情報及び撮影時の日時情報を、電子透かし又は画像付加情報（例えば、ＪＰＥＧにおけるExif（Exchangeable image file format）内の撮影日時情報及びＧＮＳＳ情報）として埋め込み、画像ファイル記憶部３１に保存する。そして、画像リスト表示部３４は、タッチスクリーンデバイス２上に図６（ｂ）（図７（ａ））の撮影画像リスト画面を表示する。
【００６３】
（ステップ４）（所有者情報の設定）
調査纂録簿が新規に作成された初期状態では、調査纂録簿内には調査写真がまだ存在しない。従って、撮影画像リスト画面の中央部下半には図６（ｂ）（図７（ａ））に示したように空の撮影画像リスト１１５が表示される。尚、図６（ｂ）と図７（ａ）は説明の便宜上別々に記載しているが同じ画面を表す。この撮影画像リスト１１５の上辺縁には、調査の種別を選択するための５つの調査名称タブボタン画像１１６（“外部”，“内部”，“外構”，“傾斜”，“水準”の各ボタン画像）が横一列に表示されている。これらは、それぞれ「内部調査」，「外部調査」，「外構調査」，「傾斜調査」，「水準調査」の５つの調査種別を選択するものであり、各ボタンを選択すると、それに対応する調査種別に属する調査写真の撮影画像リスト１１５が表示され、撮影画像リスト画面の最上部の調査種別表示領域１１７に選択された調査種別の名称が表示される。撮影画像リスト画面の中央部上半の表紙画像表示領域１１８には、先に撮影した表紙画像が表示される。撮影画像リスト画面の下部には、現況写真の撮影指示を入力するための現況写真撮影ボタン画像１１９、及び外部写真の撮影指示を入力するための外部写真撮影ボタン画像１２０が表示される。ここで、「現況写真」とは、撮影時点の現状を記録するための写真をいう。「外部写真」とは、事前，事後の変化状況を記録するための写真をいう。
【００６４】
ユーザが、図６（ｂ）（図７（ａ））の撮影画像リスト画面において、所有者情報（調査対象物件の所有者）を設定する場合、タッチスクリーンデバイス２の当該撮影画像リスト画面の表紙画像表示領域１１８をタップする。表紙画像表示領域１１８がタップされると、所有者登録部５５は、タッチスクリーンデバイス２上に図６（ｃ）の画面を表示する。図６（ｃ）の画面においては、所有者編集指示ボタン画像１２５，表紙写真確認ボタン画像１２６，キャンセルボタン画像１２７が表示される。ここで、ユーザが、この画面において、タッチスクリーンデバイス２により表紙写真確認ボタン画像１２６を選択すると、前述の図６（ａ）の画像に戻る。また、キャンセルボタン画像１２７を選択すると、前述の図６（ｂ）（図７（ａ））の画像に戻る。一方、ユーザが、タッチスクリーンデバイス２により所有者編集指示ボタン画像１２５を選択すると、所有者登録部５５は、タッチスクリーンデバイス２上に図６（ｄ）に示したような所有者編集画面を表示する。
【００６５】
図６（ｄ）の所有者編集画面において、画面中央の所有者リスト表示領域１２８には、写真管理データベース３２の所有者テーブルに現在登録されている所有者情報の一覧表が表示される。また、所有者編集画面の上部には、所有者追加ボタン画像１２９、保存ボタン画像１３０、及びキャンセルボタン画像１３１が表示される。ユーザが、この所有者編集画面において、タッチスクリーンデバイス２によりキャンセルボタン画像１３１を選択すると、前述の図６（ｃ）の画像に戻る。また、所有者追加ボタン画像１２９を選択すると、所有者登録部５５は、タッチスクリーンデバイス２上に図６（ｅ）の所有者情報入力画面を表示する。この所有者情報入力画面から、ユーザがタッチスクリーンデバイス２により所有者の氏名、住所、電話番号を入力し、戻りボタン画像１３２を選択すると、所有者登録部５５は、追加された所有者の所有者情報を写真管理データベース３２の所有者テーブルに保存し、図６（ｄ）の所有者編集画面に戻る。このとき、所有者リスト表示領域１２８には追加した所有者の所有者情報が追加表示される。
【００６６】
また、ユーザが、図６（ｄ）の所有者編集画面において、タッチスクリーンデバイス２により所有者リスト表示領域１２８のいずれかの所有者を選択しその状態で保存ボタン画像１３０を選択すると、所有者登録部５５は、選択された所有者の所有者ＩＤを、写真管理データベース３２の調査纂録簿テーブルの現在の調査案件レコードの“所有者ＩＤ”フィールド（図４参照）に保存し、図６（ｂ）の撮影画像リスト画面に戻る。これにより、所有者情報の設定が行われる。
【００６７】
（ステップ５）（調査写真の追加撮影）
ユーザが、図６（ｂ）（図７（ａ））の撮影画像リスト画面において、調査写真の追加撮影を行う場合、タッチスクリーンデバイス２の当該撮影画像リスト画面の現況写真撮影ボタン画像１１９又は外部写真撮影ボタン画像１２０（これら２つを纏めて「リスト追加ボタン画像」という。）を選択する。ここで、現況写真撮影ボタン画像１１９が選択された場合には、現況写真撮影指示状態となり、外部写真撮影ボタン画像１２０が選択された場合には、外部写真撮影指示状態となる。現況写真撮影ボタン画像１１９又は外部写真撮影ボタン画像１２０が選択されると、白板表示・編集部４３は、タッチスクリーンデバイス２上に図７（ｂ）の撮影地点情報入力画面を表示する。撮影地点情報入力画面は、追加する撮影ポイントに関する情報を入力する画面である。本実施例の場合、具体的には、撮影地点情報入力画面において、従来の工損調査において撮影対象地点と共に撮影する白板に記入すべき情報を入力する。
【００６８】
尚、図７（ｂ）では、説明の便宜上、撮影地点情報入力画面を、他の各画面の図よりも縦長に記載しているが、実際にタッチスクリーンデバイス２上に表示されるのは、図７（ｂ）に示した撮影地点情報入力画面のうちタッチスクリーンデバイス２の画面サイズ部分のみが表示される。そして、タッチスクリーンデバイス２を上下にスワイプ又はフリックする（指をスクリーン上に置いて上下方向に払う操作をする）ことにより表示部分を上下に移動させることができる。この操作は、現在広く用いられているスマートフォンやタブレット端末で用いられている操作方法と同様である。尚、後述の図８（ｄ）の記載についても同様である。
【００６９】
撮影地点情報入力画面では、中央に撮影地点情報入力領域１４１が表示され、その下部に撮影開始ボタン画像１４２が表示される。ユーザは、この撮影地点情報入力画面の撮影地点情報入力領域１４１において、タッチスクリーンデバイス２から追加する撮影ポイントに関する情報（建物番号，部屋名称（場所名称），各部名称（被写物件名称），仕上げ材，損傷種類（被写対象），サイズ（幅，長さ），損傷箇所数）を入力することができる。撮影地点情報入力領域１４１に撮影ポイントに関する情報が入力されると、白板表示・編集部４３は、入力された各情報を、新規のレコードとして写真管理データベース３２の調査管理テーブルに保存する。
【００７０】
撮影地点情報入力画面において、ユーザにより、タッチスクリーンデバイス２から撮影開始ボタン画像１４２が選択されると、通常ファインダ画面表示部３９は、外部写真撮影指示状態の場合には図７（ｃ）の電子ビューファインダ画面を表示し、現況写真撮影指示状態の場合には図８（ｃ）の電子ビューファインダ画面を表示する。以下、各状態における動作は次の通りである。
【００７１】
（ａ）外部写真撮影指示状態
図７（ｃ）の電子ビューファインダ画面において、通常ファインダ画面表示部３９は、中央にカメラデバイス３からリアルタイムに取り込まれる電子ビューファインダ画像１５１を表示し、その横にシャッターボタン画像１０６を表示し、電子ビューファインダ画像１５１の左右上下隅の何れかの隅に白板画像１５３を重畳表示する。ここで、白板画像には、撮影地点情報入力画面で入力した追加する撮影ポイントに関する情報が白板として表示される。ここで、ユーザが白板画像１５３をタップした場合、通常ファインダ画面表示部３９は、図７（ｄ）に示したように、当該白板画像をタッチスクリーンデバイス２の画面全体に拡大して表示する。図７（ｄ）の白板画像の右上の閉窓ボタン画像１５４をユーザがタップすると、図７（ｃ）の電子ビューファインダ画面に戻る。これにより、ユーザは白板情報を確認しながら外部写真の撮影を行うことができる。
【００７２】
電子ビューファインダ画面において、ユーザによりシャッターボタン画像１０６が選択された場合、新規追加画像取込部４０は、その選択時点の電子ビューファインダ画像を事前画像として取り込むとともに、撮影位置演算部３３が出力する現在の位置情報及び内部時計２５が出力する現在の日時情報を取り込み、次いで、画像編集部４４はタッチスクリーンデバイス２上に図８（ａ）の画像編集画面を表示する。画像編集画面には、中央の画像表示領域１６１に取り込まれた事前画像が表示され、その左上隅に白板画像１５３が重畳表示される。白板画像１５３は、ユーザがタッチスクリーンデバイス２上で当該白板画像１５３をスワイプする（画面を指で押して一定方向へ掃引する操作を行う）ことによって、画像表示領域１６１内での位置を移動させることができる。また、画像表示領域１６１の右側には、編集動作選択ボタン画像１６２、再撮影ボタン画像１０８、保存ボタン画像１３０が表示される。
【００７３】
編集動作選択ボタン画像１６２は、編集動作の切り換えを行うためのボタンであり、ユーザがこの編集動作選択ボタン画像１６２をタップすることによって、に図８（ａ）の画像編集画面（ポインタ編集モードの画像編集画面）と図８（ｂ）の画像編集画面（ペン編集モードの画像編集画面）とがトグル動作で切り替わる。図８（ａ）のポインタ編集モードの画像編集画面においては、ユーザが画像表示領域１６１上でタップした位置に矢印画像（ポインタ）が表示される。この矢印画像は、ユーザがタッチスクリーンデバイス２上で当該矢印画像をスワイプすることによって、画像表示領域１６１内での位置を移動させることができる。また、矢印画像は複数表示させることが可能であり、ユーザが画像表示領域１６１上で矢印画像のない箇所をタップする毎に新たな矢印画像が追加される。一方、ユーザが画像表示領域１６１上に既に表示されている矢印画像をタップすることで、当該矢印画像を消去することができる。また、図８（ｂ）のペン編集モードの画像編集画面においては、ユーザが画像表示領域１６１上でスワイプした軌跡に軌跡線画像が表示される。図８（ｂ）の画像編集画面では、画像表示領域１６１の左側に、さらにペン先ボタン画像１６３及び消しゴムボタン画像１６４が追加で表示される。軌跡線画像を追加する場合、ユーザはペン先ボタン画像１６３を選択した後に、画像表示領域１６１上で軌跡線画像を追加したい場所をスワイプする。これにより、スワイプされた軌跡に沿って軌跡線画像が表示される。尚、軌跡線画像は複数個追加することができる。一方、軌跡線画像を消去する場合には、ユーザは消しゴムボタン画像１６４を選択した後に、消去したい軌跡線画像をタップすることで、タップした軌跡線画像を消去することができる。以上の編集処理及び白板位置の移動処理は、画像編集部４４によって実行される。
【００７４】
図８（ａ），（ｂ）の画像編集画面において、ユーザにより再撮影ボタン画像１０８が選択された場合には、図７（ｃ）の電子ビューファインダ画面に戻る。一方、保存ボタン画像１３０が選択された場合には、新規追加画像取込部４０は、画像表示領域１６１に表示されている事前画像及び白板画像並びに編集操作で追加された矢印画像等（以下「編集画像」）を、写真画像レイヤ、白板画像レイヤ、編集画像レイヤを含む多層画像として画像ファイル記憶部３１に保存する。またその際に、当該事前画像の撮影日時情報及び撮影場所情報を、事前画像に電子透かし又は画像付加情報として埋め込む。さらに、画像ファイル記憶部３１に保存した当該事前画像のファイル名を、その撮影日時情報及び撮影場所情報を含む画像管理情報と関連づけて、写真管理データベース３２の調査管理テーブルに新規レコードとして登録する。このとき、“写真番号”については連番で自動付番がされ、“撮影種別”は「外部写真」とされ、“事前調査ＩＤ”，“全体調査ＩＤ”は無効値（例えば、ＮＵＬＬ）に設定される。そして、画像リスト表示部３４は図８（ｄ）に示したような撮影画像リスト画面を表示する。この際、新たに追加された事前画像は、撮影画像リスト画面の撮影画像リスト１１５に表示されるが、この時点では当該事前画像に対応する事後画像はないので、撮影画像リスト１１５の当該事前画像の欄には、当該事前画像と未撮影示教画像１８１とが並べて表示される。また、当該事前画像の欄の下部には、外部写真であることを示す外部写真マーク１８２（「事前」「事後」のマーク）が表示される（図８（ｇ）参照）。
【００７５】
（ｂ）現況写真撮影指示状態
図８（ｃ）の電子ビューファインダ画面において、通常ファインダ画面表示部３９は、中央にカメラデバイス３からリアルタイムに取り込まれる電子ビューファインダ画像１５１を表示し、その横にシャッターボタン画像１０６を表示する。この場合、白板画像１５３は表示しない。ユーザがシャッターボタン画像１０６を選択した場合、新規追加画像取込部４０は、その選択時点の電子ビューファインダ画像を事前画像として取り込むとともに、撮影位置演算部３３が出力する現在の位置情報及び内部時計２５が出力する現在の日時情報を取り込み、画像ファイル記憶部３１に保存する。またその際に、内部時計２５から取り込まれた当該事前画像の撮影日時情報、及び撮影位置演算部３３により算出された撮影場所情報を、事前画像に電子透かし又は画像付加情報として埋め込む。さらに、画像ファイル記憶部３１に保存した当該事前画像のファイル名を、その撮影日時情報及び撮影場所情報を含む画像管理情報と関連づけて、写真管理データベース３２の調査管理テーブルに新規レコードとして登録する。このとき、“写真番号”については連番で自動付番がされ、“撮影種別”は「現況写真」とされ、“事前調査ＩＤ”，“全体調査ＩＤ”は無効値（例えば、ＮＵＬＬ）に設定される。そして、図８（ｄ）に示したような撮影画像リスト画面を表示する。この際、新たに追加された事前画像は、撮影画像リスト画面の撮影画像リスト１１５に表示されるが、現況写真では事後画像は必要ないので、撮影画像リスト１１５の当該事前画像の欄には、当該事前画像のみが表示される。また、当該事前画像の欄の下部には、現況写真であることを示す現況写真マーク１８３（「現況」のマーク）が表示される。
【００７６】
（ステップ６）（撮影画像リストの各欄の閲覧）
図８（ｄ）が、工損調査が進行した段階における撮影画像リスト画面の状態を表している。この撮影画像リスト画面のタッチスクリーンデバイス２への表示処理は、画像リスト表示部３４によって実行される。工損調査の初期段階では図６（ｂ）（図７（ａ））の如く撮影画像リスト１１５が空であったものが、図８（ｄ）では撮影画像リスト１１５に写真欄１１５ａが複数追加されている。１つの写真欄１１５ａは、図８（ｅ）の拡大図に示したように、事前画像が表示される事前画像表示領域１９１、事後画像が表示される事後画像表示領域１９２、場所名称及び被写物件名称が表示される場所・被写物件名称表示領域１９３、撮影種別（“現況”／“事前・事後”）が表示される撮影種別表示領域１９４、写真番号が表示される写真番号表示領域１９５、及びプルダウン矢印マーク画像が表示されるプルダウン矢印マーク表示領域１９６を有する。事前画像表示領域１９１及び事後画像表示領域１９２は、写真欄１１５ａの上部約４／５の範囲に左右に並列して設けられ、場所・被写物件名称表示領域１９３及び撮影種別表示領域１９４並びにプルダウン矢印マーク表示領域１９６は、それぞれ写真欄１１５ａの下部約１／５の範囲に左から右に横並びに設けられている。写真番号表示領域１９５は事前画像表示領域１９１の右上隅に重畳して設けられている。
【００７７】
“撮影種別”が現況写真（“現況”）の場合、事後画像表示領域１９２は空白となり、撮影種別表示領域１９４の欄には「現況」と表示される。
【００７８】
“撮影種別”が外部写真（“事前・事後”）の場合に於いて、事後画像が画像ファイル記憶部３１内にある場合には、事後画像表示領域１９２には事後画像が表示され、撮影種別表示領域１９４の欄には「事前」「事後」の文字が共に濃色で表示される（図８（ｄ）の写真番号１−３の写真欄１１５ａ，図８（ｈ）を参照）。ここで、画像リスト表示部３４が、各写真欄１１５ａの事前画像に対して、それに対応する事後画像が画像ファイル記憶部３１内にあるか否かを判断する場合、画像リスト表示部３４は、写真管理データベース３２の調査管理テーブルを参照し、まず事前画像の“調査ＩＤ”を取得し、次いで、取得した事前画像の調査ＩＤをキーとして、調査管理テーブルの各レコードの内、“事前調査ＩＤ”が事前画像の調査ＩＤに一致するレコードを検索する。一致するレコードがなければ事後画像が画像ファイル記憶部３１内に無い（事後画像がまだ撮影されていない）と判断され、一致するレコードがあれば当該レコードに対応する画像ファイルが事後画像であると判断される。
【００７９】
撮影種別が外部写真撮影（“事前・事後”）の場合に於いて、事後画像がまだ撮影されていない場合（画像ファイル記憶部３１内に事後画像がない場合）には、事後画像表示領域１９２には、図８（ｄ）に示したような未撮影示教画像１８１（カメラマークの下に「事後撮影」の文字列が表示された画像）が表示される。また、撮影種別表示領域１９４の欄には「事前」「事後」の文字が表示され、「事前」は濃色で、「事後」は薄色で表示される（図８（ｄ）の写真番号１−２の写真欄１１５ａ，図８（ｇ）を参照）。これにより、ユーザは撮影画像リスト画面を一瞥して事後写真がまだ撮影されていない写真欄１１５ａを視認することが可能となる。
【００８０】
撮影画像リスト画面の各写真欄１１５ａの右下隅のプルダウン矢印マーク表示領域１９６がユーザによりタップされると、画像リスト表示部３４は、図８（ｆ）に示したように、当該画像欄の下に、撮影ポイントに関する情報（白板情報）をプルダウンリスト１８４として表示する。このプルダウンリスト１８４には、“部屋名称（場所名称）”，“測定箇所（被写物件名称）”，“仕上材”，“損傷種類（被写対象）”，“サイズ（幅，長さ）”，“物件番号（建物番号）”の欄が表示され、右下隅に接写写真撮影ボタン画像１８４が表示される。画像リスト表示部３４は、写真管理データベース３２から、プルダウン矢印マーク表示領域１９６がタップされた写真欄１１５ａに対応するこれら各欄の情報を読み出して、プルダウンリスト１８４の各欄に表示する。
【００８１】
プルダウンリスト１８４が表示された状態に於いて、ユーザにより接写写真撮影ボタン画像１８４が選択された場合には、接写撮影動作が実行される。接写撮影動作については、ステップ９において述べる。
【００８２】
（ステップ７）（事後画像の撮影）
タッチスクリーンデバイス２に図８（ｄ）の撮影画像リスト画面が表示されている状態（又は図８（ｅ）のプルダウンリスト１８４を展開した状態）において、ユーザにより、いずれかの写真欄１１５ａの事後画像表示領域１９２に表示された未撮影示教画像１８１がタップされた場合、まず、下敷付ファインダ画面表示部３６は、タップされた未撮影示教画像１８１が属する写真欄１１５ａの事前画像（以下「対応事前画像」という。）の調査レコードを写真管理データベース３２の調査管理テーブルから読み出し、次いで、白板表示・編集部４３が図７（ｂ）と同様の撮影地点情報入力画面を表示して、ユーザによる撮影地点情報の追加を促す。ここで、表示される白板入力画面の各入力欄には、先に読み出された対応事前画像の撮影地点情報がデフォルト値として予め記入される。従って、ユーザは変更したい欄のみ入力すればよい。撮影地点情報の入力が終わると、ユーザはそのままタッチスクリーンデバイス２から撮影開始ボタン画像１４２（図７（ｂ）参照）を選択する。ユーザにより撮影開始ボタン画像１４２が選択されると、下敷付ファインダ画面表示部３６は、タッチスクリーンデバイス２上に図９（ａ）の電子ビューファインダ画面を表示する。このとき、下敷付ファインダ画面表示部３６は、対応事前画像を画像ファイル記憶部３１から読み出して、カメラデバイス３からリアルタイムで取り込まれる電子ビューファインダ画像に、当該対応事前画像から生成される下敷画像を重畳表示してファインダ重畳画像を生成する。そして、生成したファインダ重畳画像を、電子ビューファインダ画面の中央のビューファインダ領域２０１に表示する。ここで、下敷画像は、読み出された対応事前画像を淡色化して半透明化することによって生成される。ユーザは、このファインダ重畳画像を見ながら携帯式電子デバイス１を移動させ、リアルタイムに変化する電子ビューファインダ画像が下敷画像にぴったり重なるように撮影アングルを決めることで、事前画像と事後画像の撮影アングルを合致させることができる。
【００８３】
また、下敷付ファインダ画面表示部３６は、電子ビューファインダ画面のビューファインダ領域２０１の側方にシャッターボタン画像１０６を表示し、ビューファインダ領域２０１の左上隅には白板画像１５３が重畳表示される。このとき、下敷付ファインダ画面表示部３６は、写真管理データベース３２の調査管理テーブルから上記対応事前画像のレコードを読み出し、白板画像１５３に、先に撮影地点情報入力画面で入力した追加撮影ポイントに関する撮影地点情報を白板として表示する（図９（ａ）参照）。
【００８４】
図９（ａ）の電子ビューファインダ画面が表示された状態に於いて、ユーザにより、タッチスクリーンデバイス２からシャッターボタン画像１０６が選択されると、事後画像取込部３７は、その選択時点の電子ビューファインダ画像を事後画像として取り込み、撮影位置演算部３３が出力する現在の絶対位置情報（緯度・経度・標高）と、内部時計２５が出力する現在日時情報とを取り込む。次いで、画像編集部４４は図８（ａ）の画像編集画面を表示する。画像編集画面には、中央の画像表示領域１６１に取り込まれた事後画像が表示され、その左右上下隅の何れかの隅に白板画像１５３が重畳表示される。白板画像１５３は、ユーザがタッチスクリーンデバイス２上で当該白板画像１５３をスワイプすることによって、画像表示領域１６１内での位置を移動させることができる。また、画像表示領域１６１の右側には、編集動作選択ボタン画像１６２、再撮影ボタン画像１０８、保存ボタン画像１３０が表示される。この画像編集画面での編集操作については、上述の「ステップ５」で既に説明したので省略する。
【００８５】
画像編集画面において、ユーザにより、タッチスクリーンデバイス２から保存ボタン画像１３０が選択された場合、事後画像取込部３７は、画像表示領域１６１に表示されている事前画像及び白板画像並びに編集操作で追加された矢印画像等（以下「編集画像」）を、写真画像レイヤ、白板画像レイヤ、編集画像レイヤを含む多層画像として画像ファイル記憶部３１に保存する。またその際に、当該事前画像の撮影日時情報及び撮影場所情報を、事前画像に電子透かし又は画像付加情報として埋め込む。さらに、画像ファイル記憶部３１に保存した当該事前画像のファイル名を、その撮影日時情報及び撮影場所情報を含む画像管理情報と関連づけて、写真管理データベース３２の調査管理テーブルに登録する。このとき、“写真番号”には対応事前画像の写真番号と同じ番号が設定され、“撮影種別”は「外部写真」に設定され、“事前調査ＩＤ”には対応事前画像の調査ＩＤが設定され、“全体調査ＩＤ”は無効値（例えば、ＮＵＬＬ）に設定される。これにより、事前写真の画像のレコードとの関連づけがなされる。そして、図８（ｄ）に示したような撮影画像リスト画面に戻る。
【００８６】
（ステップ８）（撮影済画像確認操作）
タッチスクリーンデバイス２に図８（ｄ）の撮影画像リスト画面が表示されている状態（又は図８（ｅ）のプルダウンリスト１８４を展開した状態）において、ユーザにより、いずれかの写真欄１１５ａの事前画像表示領域１９１に表示された撮影済みの事前画像又は事後画像表示領域１９２に表示された撮影済みの事後画像がタップされた場合、撮影済画像表示部３５は、タッチスクリーンデバイス２上に図９（ｂ）に示したような撮影画像確認画面を表示する。撮影画像確認画面は、中央の画像表示領域１６１にタップされた事前画像又は事後画像（以下「選択確認画像」という。）が表示され、画像表示領域１６１の上側に画像の種別名（“事前画像”／“事後画像”）及び閉窓ボタン画像１５４が表示され、画像表示領域１６１の下側に接写写真撮影ボタン画像１８５、再撮影ボタン画像１０８、画像削除ボタン画像２０２が表示される。この撮影画像確認画面によって、ユーザは撮影済みの選択確認画像を拡大して確認することができる。
【００８７】
撮影画像確認画面において、ユーザによりタッチスクリーンデバイス２から閉窓ボタン画像１５４が選択されると、撮影済画像表示部３５は、撮影画像確認画面を閉じて図８（ｄ）の撮影画像リスト画面に戻る。また、画像削除ボタン画像２０２が選択されると、撮影済画像表示部３５は、画像ファイル記憶部３１及び写真管理データベース３２から、選択確認画像の画像ファイル及び画像ファイル名を削除し、撮影画像確認画面を閉じて図８（ｄ）の撮影画像リスト画面に戻る。このとき、削除された画像は撮影画像リスト画面においては表示されず、その代わりに接写写真撮影ボタン画像１８５が表示される。
【００８８】
撮影画像確認画面において、ユーザによりタッチスクリーンデバイス２から再撮影ボタン画像１０８が選択されると、図７（ｃ）の電子ビューファインダ画面に戻り、選択確認画像に対応する事前画像又は事後画像の再撮影操作に移行する。図７（ｃ）以降の撮影操作及び画像編集操作の説明については、既に説明したため省略する。
【００８９】
撮影画像確認画面において、ユーザによりタッチスクリーンデバイス２から接写写真撮影ボタン画像１８５が選択されると、次の接写撮影動作へ移行する。
【００９０】
（ステップ９）（接写撮影動作）
図８（ｅ）又は図９（ｂ）の接写写真撮影ボタン画像１８５が選択された場合には、以下の接写撮影動作が実行される。まず、接写ファインダ画面表示部４１は、接写写真撮影ボタン画像１８５が選択された際に選択されている写真欄１１５ａの事前画像又は事後画像（以下「選択元画像」という。）のレコードを、写真管理データベース３２の調査管理テーブルから読み出し、そのレコードの調査ＩＤを取得して、これを全体調査ＩＤに設定する。ここで「全体調査ＩＤ」とは、調査管理テーブルの接写画像のレコードに対するその全体画像のレコードの調査ＩＤをいう。次いで、接写ファインダ画面表示部４１は、タッチスクリーンデバイス２上に図７（ｃ）の電子ビューファインダ画面を表示し、ステップ４で説明した操作と同様の操作で、接写画像の撮影及び編集を行う。
【００９１】
そして、図８（ａ）又は図８（ｂ）の画像編集画面において、ユーザにより保存ボタン画像１３０が選択されると、接写画像取込部４２は、画像表示領域１６１に表示されている接写画像及び白板画像並びに編集操作で追加された矢印画像等（以下「編集画像」）を、写真画像レイヤ、白板画像レイヤ、編集画像レイヤを含む多層画像として画像ファイル記憶部３１に保存する。またその際に、当該接写事前画像の撮影日時情報及び撮影場所情報を、当該接写画像に電子透かし又は画像付加情報として埋め込む。さらに、画像ファイル記憶部３１に保存した当該接写画像のファイル名を、その撮影日時情報及び撮影場所情報を含む画像管理情報と関連づけて、写真管理データベース３２の調査管理テーブルに新規レコードとして登録する。このとき、“写真番号”については連番で自動付番がされ、“撮影種別”は「外部写真」に設定され、 “全体調査ＩＤ”には先に設定した全体調査ＩＤを設定する。これにより、全体写真の画像のレコードとの関連づけがなされる。また、このとき“事前調査ＩＤ”は無効値（例えば、ＮＵＬＬ）に設定される。これは、選択元画像が事前画像の場合には、それ以上前の事前画像は存在せず、また、選択元画像が事後画像の場合には、当該接写画像に対応する事前画像の調査レコードが存在しないためである。
【００９２】
そして、画像リスト表示部３４は図８（ｄ）に示したような撮影画像リスト画面を再表示する。このとき、画像リスト表示部３４は、図８（ｄ）に示したように、“全体調査ＩＤ”フィールドに全体調査ＩＤが設定されたレコード（子レコード）の写真欄１１５ａについては、全体調査ＩＤのレコード（親レコード）の写真欄１１５ａの下に連なるように表示するとともに、子レコードの写真欄１１５ａには、接写写真であることが分かるように、当該写真欄１１５ａの左側に接写表示マーク１８６を表示する。これにより、撮影画像リスト画面を見たユーザは、一瞥して全体写真の写真欄１１５ａと接写写真の写真欄１１５ａの区別とその関連性を容易に視認することができる。
【００９３】
（４．１）接写撮影時における調査管理テーブルへの登録処理及び撮影画像リスト画面の再表示処理の補足説明
次に、接写写真の撮影時における、接写画像取込部４２による接写画像の調査レコードの調査管理テーブルへの登録処理と、画像リスト表示部３４による撮影画像リスト画面の再表示処理とについて、補足説明する。
【００９４】
（Ａ）事前画像の撮影時
例えば、撮影画像リスト画面における撮影画像リスト１１５が図１０（ａ１）の状態にあり、写真管理データベース３２の調査管理テーブルが図１０（ｂ１）の状態にある場合を考える。尚、図１０における撮影画像リスト１１５内の事前画像表示領域１９１内に表示されたＡ１，Ａ２等の符号は写真番号を表す。
【００９５】
（Ａ１）この状態に於いて、ユーザにより写真番号Ａ１の事前画像が選択（タップ）され、次いで図９（ｂ）の画面で接写写真撮影ボタン画像１８５が選択（タップ）されて接写写真が撮影された場合、接写画像取込部４２は、図１０（ｂ２）に示したように、調査管理テーブルに、当該接写写真に対する調査レコード（調査ＩＤ＝３の調査レコード）を新規に作成し、当該調査レコードの“全体調査ＩＤ”に、選択元画像である写真番号Ａ１の事前画像の調査レコードの調査ＩＤ（１）を格納する。これにより、調査レコード（調査ＩＤ＝３，写真番号＝Ａ１−１）は、調査レコード（調査ＩＤ＝１，写真番号＝Ａ１）に対して事前画像の接写画像として関連づけられる。また、このとき接写画像取込部４２は、当該接写写真に対する調査レコードのその他のフィールドには、選択元画像Ａ１の調査レコードにおける対応するフィールドの値をコピーする。そして、画像リスト表示部３４は、調査管理テーブルが更新されると、図１０（ａ２）に示したように、新規に登録された接写画像の調査レコード（調査ＩＤ＝３，写真番号＝Ａ１−１）の写真欄１１５ａを、選択元画像の調査レコード（調査ＩＤ＝１，写真番号＝Ａ１）の写真欄１１５ａの下に連ねて表示すると共に、当該写真欄１１５ａの左側に接写表示マーク１８６を表示する。
【００９６】
（Ａ２）次に、ユーザにより写真番号Ａ１の事前画像が再度選択（タップ）され又は写真番号Ａ１−１の事前画像が選択（タップ）され、次いで図９（ｂ）の画面で接写写真撮影ボタン画像１８５が選択（タップ）されて接写写真が撮影された場合、接写画像取込部４２は、図１０（ｂ３）に示したように、調査管理テーブルに、当該接写写真に対する調査レコード（調査ＩＤ＝４の調査レコード）を新規に作成し、当該調査レコードの“全体調査ＩＤ”に、選択元画像の調査レコードの“全体調査ＩＤ”フィールドに無効な値（ＮＵＬＬ）が設定されている場合（即ち、選択元画像が写真番号Ａ１の場合）にはその選択元画像の調査レコードの調査ＩＤ（１）を、選択元画像の調査レコードの“全体調査ＩＤ”フィールドに有効な値が設定されている場合（即ち、選択元画像が写真番号Ａ１−１の場合）にはその“全体調査ＩＤ”フィールドに設定されている調査ＩＤ（１）を格納する。これにより、調査レコード（調査ＩＤ＝４，写真番号＝Ａ１−２）は、調査レコード（調査ＩＤ＝１，写真番号＝Ａ１）に対して事前画像の接写画像として関連づけられる。また、このとき接写画像取込部４２は、当該接写写真に対する調査レコードのその他のフィールドには、選択元画像Ａ１の調査レコードにおける対応するフィールドの値をコピーする。そして、画像リスト表示部３４は、調査管理テーブルが更新されると、図１０（ａ３）に示したように、新規に登録された接写画像の調査レコード（調査ＩＤ＝４，写真番号＝Ａ１−２）の写真欄１１５ａを、選択元画像の調査レコード（調査ＩＤ＝１，写真番号＝Ａ１）の写真欄１１５ａの下に連ねて表示すると共に、当該写真欄１１５ａの左側に接写表示マーク１８６を表示する。
【００９７】
以下同様に、写真番号Ａ１に対する接写画像を、写真管理データベース３２内の調査管理テーブル及び撮影画像リスト１１５に逐次追加することができる。写真番号Ｂ１に対する接写画像についても、同様にして逐次追加することができる。
【００９８】
（Ｂ）事後画像の撮影時
例えば、撮影画像リスト画面における撮影画像リスト１１５が図１１（ａ１）の状態にあり、写真管理データベース３２の調査管理テーブルが図１１（ｂ１）の状態にある場合を考える。尚、図１１における撮影画像リスト１１５内の事前画像表示領域１９１及び事後画像表示領域１９２内に表示されたＡ１，Ａ１−１，Ａ２，Ｂ１等の符号は写真番号を表す。
【００９９】
（Ｂ１）この状態に於いて、ユーザにより写真番号Ｂ１の事後画像が選択（タップ）され、次いで図９（ｂ）の画面で接写写真撮影ボタン画像１８５が選択（タップ）されて接写写真が撮影された場合、接写画像取込部４２は、図１１（ｂ２）に示したように、調査管理テーブルに、当該接写写真に対する調査レコード（調査ＩＤ＝５の調査レコード）を新規に作成し、当該調査レコードの“全体調査ＩＤ”に、選択元画像である写真番号Ｂ１の事後画像の調査レコードの調査ＩＤ（４）を格納する。また、当該接写写真に対する事前画像は存在しないため、当該調査レコードの“事前調査ＩＤ”には、「事後画像に対する事前画像が存在しない」ことを示す番号である未存在コード０を格納する。これにより、調査レコード（調査ＩＤ＝５，写真番号＝Ｂ１−２）は、調査レコード（調査ＩＤ＝４，写真番号＝Ｂ１）に対して事後画像の接写画像として関連づけられる。また、このとき接写画像取込部４２は、当該接写写真に対する調査レコードのその他のフィールドには、選択元画像Ｂ１の調査レコードにおける対応するフィールドの値をコピーする。そして、画像リスト表示部３４は、調査管理テーブルが更新されると、図１１（ａ２）に示したように、新規に登録された接写画像の調査レコード（調査ＩＤ＝５，写真番号＝Ｂ１−２）の写真欄１１５ａを、選択元画像の調査レコード（調査ＩＤ＝４，写真番号＝Ｂ１）の写真欄１１５ａの下に連ねて表示すると共に、当該写真欄１１５ａの左側に接写表示マーク１８６を表示する。また、新たに追加される接写画像Ｂ１−２に対する事前画像は存在しないので、接写画像Ｂ１−２に対する事前画像の事前画像表示領域１９１は空となる。
【０１００】
ここで、選択元画像である事後画像Ｂ１に対する事前画像Ａ１には、接写画像Ａ１−１が関連づけて保存されているが、新たに追加される接写画像Ｂ１−２は、既存の事前画像の接写画像Ａ１−１とは関連づけられないことに注意しておく（図１１（ａ２），（ｂ２）参照）。もし、ユーザが事前画像の接写画像Ａ１−１に対する事後画像を撮影する場合には、当該接写画像Ａ１−１の事前画像表示領域１９１の横の事後画像表示領域１９２に表示された未撮影示教画像１８１を選択（タップ）すればよい。
【０１０１】
（Ｂ２）次に、ユーザにより写真番号Ｂ１の事前画像が再度選択（タップ）され又は写真番号Ｂ１−２の事後画像が選択（タップ）され、次いで図９（ｂ）の画面で接写写真撮影ボタン画像１８５が選択（タップ）されて接写写真が撮影された場合、接写画像取込部４２は、図１１（ｂ３）に示したように、調査管理テーブルに、当該接写写真に対する調査レコード（調査ＩＤ＝６の調査レコード）を新規に作成し、当該調査レコードの“全体調査ＩＤ”に、選択元画像の調査レコードの“全体調査ＩＤ”フィールドに無効な値が設定されている場合（即ち、選択元画像が写真番号Ｂ１の場合）にはその選択元画像の調査レコードの調査ＩＤ（４）を、選択元画像の調査レコードの“全体調査ＩＤ”フィールドに有効な値が設定されている場合（即ち、選択元画像が写真番号Ｂ１−２の場合）にはその“全体調査ＩＤ”フィールドに設定されている調査ＩＤ（４）を格納する。また、当該接写写真に対する事前画像は存在しないため、当該調査レコードの“事前調査ＩＤ”には、「事後画像に対する事前画像が存在しない」ことを示す番号である未存在コード０を格納する。これにより、調査レコード（調査ＩＤ＝６，写真番号＝Ｂ１−３）は、調査レコード（調査ＩＤ＝４，写真番号＝Ｂ１）に対して事後画像の接写画像として関連づけられる。また、このとき接写画像取込部４２は、当該接写写真に対する調査レコードのその他のフィールドには、選択元画像Ｂ１の調査レコードにおける対応するフィールドの値をコピーする。そして、画像リスト表示部３４は、調査管理テーブルが更新されると、図１１（ａ３）に示したように、新規に登録された接写画像の調査レコード（調査ＩＤ＝６，写真番号＝Ｂ１−３）の写真欄１１５ａを、選択元画像の調査レコード（調査ＩＤ＝４，写真番号＝Ｂ１）の写真欄１１５ａの下に連ねて表示すると共に、当該写真欄１１５ａの左側に接写表示マーク１８６を表示する。また、新たに追加される接写画像Ｂ１−３に対する事前画像は存在しないので、接写画像Ｂ１−３に対する事前画像の事前画像表示領域１９１は空となる。
【０１０２】
以下同様に、写真番号Ｂ１に対する接写画像を、写真管理データベース３２内の調査管理テーブル及び撮影画像リスト１１５に逐次追加することができる。
【０１０３】
（４．２）事後撮影時における調査写真追加撮影処理についての補足説明
最後に、事後画像の撮影時における調査写真追加撮影処理についての補足説明を行う。尚、事前画像の撮影時における調査写真追加撮影処理については、ステップ５において既に説明した通りである。実際の工損調査の現場に於いては、事後調査に於いて、事前画像がない場合にも新たに事後画像を追加したい場合がある。斯かる場合、ユーザが、図８（ｄ）の撮影画像リスト画面において、現況写真撮影ボタン画像１１９又は外部写真撮影ボタン画像１２０を選択（タップ）することによって、新たに事後画像を追加することができる。以下、この処理について説明する。
【０１０４】
携帯式電子デバイス１が、現時点が「事前画像撮影状態」にあるのか、それとも「事後画像撮影状態」にあるのかを自動判断する場合、写真管理データベース３２の調査管理テーブルを参照し、“調査纂録簿ＩＤ”フィールドが現在の調査纂録簿ＩＤであるレコードセットに対して、“事前調査ＩＤ”フィールドに無効値（ＮＵＬＬ）以外の値が設定された調査レコードが存在するか否かを検索し、無効値（ＮＵＬＬ）以外の値が設定された調査レコードが存在しなければ現時点は「事前画像撮影状態」にあると自動判定し、無効値（ＮＵＬＬ）以外の値が設定された調査レコードが存在すれば現時点は「事後画像撮影状態」にあると自動判定する。これは、例えば、図８（ｄ）の撮影画像リスト画面において、撮影画像リスト１１５が図１２（ａ１）のように事前画像Ａ１，Ａ２及び事後画像Ｂ１が表示されているような場合には、携帯式電子デバイス１は現時点が「事後画像撮影状態」にあると自動判定する。一方、撮影画像リスト１１５が図１２（ｃ）のように事前画像Ａ１，Ａ２のみが表示され、事後画像が一つも表示されていないような場合には、携帯式電子デバイス１は現時点が「事前画像撮影状態」にあると自動判定することになる。
【０１０５】
携帯式電子デバイス１が「事後画像撮影状態」にあると自動判定している場合において、図８（ｄ）の撮影画像リスト画面から、ユーザにより外部写真撮影ボタン画像１２０が選択（タップ）された場合、外部写真撮影指示状態となりステップ５と同様にして、新地点レコード追加部３８，通常ファインダ画面表示部３９，及び新規追加画像取込部４０により、白板情報の編集、事後画像の撮影、及び画像編集の処理が行われる。このとき、新規追加画像取込部４０は、写真管理データベース３２の調査管理テーブルに新規レコードとして登録する際に、当該新規レコードが事後画像であることを示すために“事前調査ＩＤ”フィールドに「事後画像に対する事前画像が存在しない」ことを示す番号である未存在コード０を格納する（図１２（ｂ２）の調査レコード（調査ＩＤ＝４，写真番号＝Ｂ３）参照）。そして、画像リスト表示部３４は、調査管理テーブルが更新されると、図１２（ａ２）に示したように、新規に登録された事後画像の調査レコード（調査ＩＤ＝４，写真番号＝Ｂ３）の写真欄１１５ａを追加した撮影画像リスト１１５を撮影画像リスト画面に再表示する。また、新たに追加される事後画像Ｂ３に対する事前画像は存在しないので、接写画像Ｂ３に対する事前画像の事前画像表示領域１９１は空となり、撮影種別表示領域１９４に「事前」の文字が淡色で、「事後」の文字が濃色で表示される。
【０１０６】
携帯式電子デバイス１が「事後画像撮影状態」にあると自動判定している場合において、図８（ｄ）の撮影画像リスト画面から、ユーザにより現況写真撮影ボタン画像１１９が選択（タップ）された場合も同様である。この場合、写真管理データベース３２の調査管理テーブルは、図１２（ｂ３）に示すように新規の調査レコード（調査ＩＤ＝４，写真番号＝Ｂ３）が追加され、画像リスト表示部３４は、図１２（ａ３）に示したように、新規に登録された事後画像の調査レコード（調査ＩＤ＝４，写真番号＝Ｂ３）の写真欄１１５ａを追加した撮影画像リスト１１５を撮影画像リスト画面に再表示する。この場合、新たに追加される事後画像Ｂ３に対する事前画像は存在しないので、接写画像Ｂ３に対する事前画像の事前画像表示領域１９１は空となり、撮影種別表示領域１９４に「現況」の文字が濃色で表示される。
【０１０７】
尚、携帯式電子デバイス１が「事前画像撮影状態」にあると自動判定している場合（例えば、図１２（ｃ）のように事後画像な撮影をまだ１回も行っていないような場合）においても、事後画像として新たに調査レコードを追加したい場合がある。このような場合には、携帯式電子デバイス１は、事前画像として新たに調査レコードを追加すべきか、事後画像として新たに調査レコードを追加すべきかについて、図８（ｄ）の撮影画像リスト画面において、ユーザにより現況写真撮影ボタン画像１１９又は外部写真撮影ボタン画像１２０がシングルタップにより選択されたか、ダブルタップにより選択されたかによって判断する。シングルタップにより選択された場合には、携帯式電子デバイス１は、自動判定した「事前画像撮影状態」を維持する。一方、ダブルタップにより選択された場合には、携帯式電子デバイス１は、「事前画像撮影状態」から「事後画像撮影状態」に状態を変更し、あとは上述した通り、新たな事後画像を追加する処理を実行する。
【実施例２】
【０１０８】
本実施例では、ＲＦタグを利用して被写対象の位置の自動的な取り込みを行う実施例について説明する。本実施例の携帯式電子デバイス１のハードウェア構成は、実施例１の図１及び図２と同様である。また、機能構成についても、撮影位置演算部３３の位置検出機能と写真管理データベース３２の調査管理テーブルのテーブル構造を除き、実施例１の図３と同様である。従って、実施例１と同様の部分については説明を省略する。
【０１０９】
図１３は、実施例２の写真管理データベース３２における調査管理テーブルの構造を表す図である。実施例１の図４と比べて、“被写対象位置”フィールドが追加された点が異なり、それ以外は実施例１と同様である。この“被写対象位置”フィールドには、写真の被写対象（例えば、「亀裂・破損」，「縁切れ」，「剥離」，「隙間」，「ズレ」，「チリ切れ」，「漏水跡」等）の絶対位置（緯度・経度・高度）の情報が格納される。
【０１１０】
また、本実施例において、撮影位置演算部３３は、実施例１の場合と同様に、ＧＮＳＳモジュール４（及び気圧センサ９）により得られる位置情報又は近距離無線通信モジュール６を用いて実現されるＬＰＳにより得られる位置情報により現在の絶対位置（緯度・経度・高度）を検出する。また、方位センサ８により携帯式電子デバイス１の向き（方位ベクトル）を検出する。ここで、方位センサ８は、基本的には地磁気センサにより地磁気を３軸方向で計測することにより方位を検出するものであるが、地下街や建物内などのように地磁気の乱れが生じる環境下に於いては、加速度センサ７やジャイロセンサ１０により補正を行うことにより正確な方位を検出することができる（非特許文献７参照）。さらに、本実施例の撮影位置演算部３３は、被写対象の位置に設置されるＲＦタグまでの距離を検出し、携帯式電子デバイス１の向きからカメラデバイス３の撮影視軸の視軸方位を検出し、これらの検出された絶対位置、ＲＦタグまでの距離、視軸方位に基づき、ＲＦタグの絶対位置を算出する。この場合、ＲＦタグとして、本体に標準装備された近距離無線通信モジュール６に対応した周波数帯のものを使用してもよいし、ＲＦタグを読み取るための専用アダプタを本体に装着してこれを近距離無線通信モジュール６として使用してもよい。以下、この被写対象の位置に設置されるＲＦタグの絶対位置の検出について説明する。
【０１１１】
図１４は、実施例２の携帯式電子デバイス１を用いて被写物件の撮影を行う様子の一例を示す図である。図１４（ａ）はＲＦタグ付きクラックスケールを用いて撮影する例、図１４（ｂ）はＲＦタグ付き指し棒を用いて撮影する例を示している。被写物件Ａは壁面Ｓに生じた亀裂であるとする。図１４（ａ）においては、被写物件Ａを撮影するにあたり、ユーザは被写物件Ａに、クラックスケール２１０を被写物件Ａに宛がう。ここで、クラックスケール２１０は、壁面Ｓに繰り返し貼剥可能なシール面を備え、ユーザは壁面Ｓにクラックスケール２１０を貼着した状態で撮影することができるものとする。クラックスケール２１０には、ＩＤ情報を埋め込んだＲＦタグ２１１を有しており、携帯式電子デバイス１の近距離無線通信モジュール６との間で無線通信を行うことが可能とされている。図１４（ｂ）は、クラックスケール２１０を被写物件Ａに貼着することが困難な場所（例えば、天井、土間など）の場合に指し棒２１２を用いる例である。撮影に当たり、ユーザの補助者が、先端にＲＦタグ２１１を内蔵した指し棒２１２を被写物件Ａに宛がう。
【０１１２】
この状態で、撮影を行う（図７（ｃ），図８（ｃ）又は図９（ａ）においてシャッターボタン画像１０６を選択する）と、撮影位置演算部３３は、実施例１で説明したものと同様に、電子ビューファインダ画像、内部時計２５が出力する撮影日時情報、方位センサ８が出力する携帯式電子デバイス１の向き（方位ベクトル）、及びＧＮＳＳモジュール４（及び気圧センサ９）により得られる位置情報又は近距離無線通信モジュール６を用いて実現されるＬＰＳにより得られる位置情報により現在の絶対位置（緯度・経度・高度）を取り込む。そして、近距離無線通信モジュール６が、被写物件Ａの位置に設置されたＲＦタグ２１１との間で無線通信を行い、当該ＲＦタグ２１１までの距離Ｌを検出する。ＲＦタグ２１１までの距離検出技術は、現在、ＲＦＩＤ（radio frequency identifier）の技術分野に於いてタグリーダにおいて広く用いられている技術である（例えば、非特許文献６，特許文献５等参照）。例えば、近距離無線通信モジュール６がＲＦタグ２１１へ発射した送信波に対してＲＦタグ２１１から反射される反射波の強度から近距離無線通信モジュール６とＲＦタグ２１１との間の距離Ｌを検出したり、送信波と反射波との位相差から距離Ｌを検出したりすることが可能である。カメラデバイス３は携帯式電子デバイス１内に固定的に内蔵されているので、携帯式電子デバイス１の向きから、カメラデバイス３の撮影視軸の視軸方位ベクトルｕ＝（ｕｘ，ｕｙ，ｕｚ）（‖ｕ‖＝１）を算出することができる。従って、携帯式電子デバイス１の絶対座標Ｐ＝（ｐｘ，ｐｙ，ｐｚ）（緯度・経度・高度を絶対座標に換算したもの）と視軸方位ベクトルｕと距離Ｌから、ＲＦタグ２１１の絶対座標Ｑは、Ｑ＝Ｐ＋Ｌ・ｕにより容易に求めることができる。撮影位置演算部３３は、このようにして求めたＲＦタグ２１１の絶対位置情報（絶対座標Ｑを緯度・経度・高度に換算したもの）を出力する。事後画像取込部３７，新規追加画像取込部４０，又は接写画像取込部４２は、事前画像，事後画像，又は接写画像を画像ファイル記憶部３１に保存する際には、このＲＦタグ２１１の絶対位置情報と撮影日時情報とを当該画像に埋め込み保存する。また、同時に、写真管理データベース３２の調査管理テーブルに当該画像に関連するレコードを保存する際に、“被写対象位置”フィールドにこのＲＦタグ２１１の絶対位置情報を格納する。
【０１１３】
このように、本実施例の携帯式電子デバイス１では、撮影対象である被写物件Ａの位置に設置されるＲＦタグ２１１の絶対位置情報を撮影時に取り込み、これを撮影した画像に埋め込むと共に写真管理データベース３２当該画像と関連づけて保管することにより、被写物件Ａの位置を、別に準備された建物等の図面に一々記入して管理する必要がなくなり、管理作業を著しく省力化することが可能となる。
【実施例３】
【０１１４】
本実施例では、事後画像の撮影時において撮影アングルが事前画像と一致した場合に報知し又は自動撮影する実施例について説明する。本実施例の携帯式電子デバイス１のハードウェア構成は、実施例１の図１及び図２と同様である。また、機能構成についても、下敷付ファインダ画面表示部３６及び事後画像取込部３７の動作の一部を除き、実施例１の図３と同様である。従って、実施例１と同様の部分については説明を省略する。
【０１１５】
本実施例の下敷付ファインダ画面表示部３６は、図９（ａ）の電子ビューファインダ画面に於いて、ビューファインダ領域２０１に表示された下敷画像の元である事前画像（以下「対応事前画像」という。）Ｉ１に対する電子ビューファインダ画像Ｉ２（ｔ）（ｔは時刻を表す。）の位置ずれベクトルＶ（Ｉ１，Ｉ２（ｔ））をリアルタイムに演算する。ここで、位置ずれベクトルＶ（Ｉ１，Ｉ２（ｔ））＝（Ｐ（Ｉ１，Ｉ２（ｔ）），Ｒ（Ｉ１，Ｉ２（ｔ）））は、平行移動成分Ｐ（Ｉ１，Ｉ２（ｔ））と回転移動成分Ｒ（Ｉ１，Ｉ２（ｔ））からなる。また、位置ずれベクトルＶ（Ｉ１，Ｉ２（ｔ））の演算は公知の方法を用いる。例えば、対応事前画像Ｉ１と電子ビューファインダ画像Ｉ２（ｔ）の画像相関演算を行って相関係数の最も大きくなる位置ずれベクトルＶ（Ｉ１，Ｉ２（ｔ））を算出する方法等を用いることができる。また、被写体追跡等の計算で用いられるテンプレートマッチング（ブロックマッチング）法、アクティブ探索法、Mean Shift法、パーティクルフィルタなどの公知の手法を応用して用いることもできる（非特許文献８参照）。
【０１１６】
そして、下敷付ファインダ画面表示部３６は、図１５（ａ）に示したように、算出された位置ずれベクトルＶ（Ｉ１，Ｉ２（ｔ））に応じて、携帯式電子デバイス１の向きを動かすべき方向を指示する撮影アングル補正指示マーク１５５ａ，１５５ｂをタッチスクリーンデバイス２の画面内に表示する。ここで、撮影アングル補正指示マーク１５５ａは、カメラデバイス３を平行移動すべき方向を表しており、撮影アングル補正指示マーク１５５ｂは、カメラデバイス３を回転すべき方向を表している。このように、撮影アングル補正指示マーク１５５ａ，１５５ｂを表示することによって、ユーザは、携帯式電子デバイス１をどの方向に動かして撮影アングルを合わせればよいのかを一瞥して視認することができ、位置合わせ作業の効率が向上する。
【０１１７】
一方、事後画像取込部３７は、下敷付ファインダ画面表示部３６がリアルタイムに算出する位置ずれベクトルＶ（Ｉ１，Ｉ２（ｔ））を参照して、下敷画像に対する電子ビューファインダ画像の位置ずれ量（位置ずれベクトルのノルム）‖Ｖ（Ｉ１，Ｉ２（ｔ））‖が所定の閾値εを下回ったか否かを検査する。尚、閾値εは、実際のブレの許容量を考慮して適宜に設定される。そして、閾値εを下回った場合、事後画像取込部３７は、図１５（ｂ）に示すように、撮影アングルが合致したことを報知する撮影アングル合致マーク１５６をタッチスクリーンデバイス２の画面内に表示する。これにより、ユーザは、撮影アングルがうまく合致したか否かを一瞥して即座に視認することができ、位置合わせ作業の効率が向上する。
【０１１８】
尚、本実施例では、事後画像取込部３７は、下敷画像に対する電子ビューファインダ画像の位置ずれ量‖Ｖ（Ｉ１，Ｉ２（ｔ））‖が閾値εを下回った場合に撮影アングル合致マーク１５６を表示してユーザに報知する構成例について示したが、撮影アングル合致マーク１５６を表示する代わりにアラーム（電子音）を鳴らして報知するようにすることもできる。
【０１１９】
また、撮影アングル合致マーク１５６等で報知する代わりに、自動的にシャッターを切り、位置ずれ量‖Ｖ（Ｉ１，Ｉ２（ｔ））‖が閾値εを下回った時点ｔ２の電子ビューファインダ画像Ｉ２（ｔ２）を事後画像として取り込むとともに、内部時計２５から取り込まれる当該事後画像の撮影日時情報、及び対応事前画像の撮影場所情報を取り込んで、図８（ａ）の編集画面へ移行するように構成することもできる。
【実施例４】
【０１２０】
本実施例では、本発明の携帯式電子デバイスを、ダムやトンネル等における亀裂等の経時変化を記録する定点調査に応用する例について説明する。工損調査の場合との違いは、工損調査の場合には同じ調査地点について事前／事後の２つの画像を管理すればよいが、定点調査の場合には、同じ調査地点について、経時的に記録される２つ以上の画像を管理する必要がある点である。
【０１２１】
本実施例の携帯式電子デバイス１は、画像リスト表示部３４の機能の一部を除き、基本的には実施例２の携帯式電子デバイス１と同様である。ここでは、本実施例の携帯式電子デバイス１の実施例２と相違する点について説明する。
【０１２２】
本実施例の携帯式電子デバイス１においては、図６（ｂ）（図７（ａ））に示したような撮影画像リスト画面において、現況写真撮影ボタン画像１１９及び外部写真撮影ボタン画像１２０に加えて、もう一つ定点写真撮影ボタン画像１２１が追加される（図１８参照）。ユーザが、図１８の撮影画像リスト画面において、調査写真の追加撮影を行う場合、タッチスクリーンデバイス２の当該撮影画像リスト画面の現況写真撮影ボタン画像１１９又は外部写真撮影ボタン画像１２０若しくは定点写真撮影ボタン画像１２１（これら３つを纏めて「リスト追加ボタン画像」という。）を選択する。ここで、現況写真撮影ボタン画像１１９が選択された場合には、現況写真撮影指示状態となり、外部写真撮影ボタン画像１２０が選択された場合には、外部写真撮影指示状態となり、外部写真撮影ボタン画像１２０が選択された場合には、定点写真撮影指示状態となる。現況写真撮影ボタン画像１１９又は外部写真撮影ボタン画像１２０若しくは定点写真撮影ボタン画像１２１が選択されると、白板表示・編集部４３は、タッチスクリーンデバイス２上に図７（ｂ）の撮影地点情報入力画面を表示する。このように、本実施例では、新たに「定点写真撮影」のモードが追加される。
【０１２３】
本実施例の携帯式電子デバイス１における写真管理データベース３２の構造は図１３と同様である。図１６は、実施例４の携帯式電子デバイス１における、写真管理データベース３２の調査管理テーブルの具体的なデータ内容の一例を表す図である。図１６（ａ）は、調査管理テーブルの内容の具体例、図１６（ｂ）は調査管理テーブル内に格納される調査レコードのうち、一つの定点に対する一連の調査レコード間の関係を表した図である。図１６に示したように、定点調査（定点写真撮影指示状態）に於いては調査管理テーブルの“撮影種別”フィールドは「定点」に設定される。また、“事前調査ＩＤ”フィールドには、その調査レコードの１つ前に行った調査の調査レコードの調査ＩＤが格納される。例えば、或る定点Ａについて、２０１５年３月１日に第１回目、２０１５年５月１日に第２回目、２０１５年７月１日に第３回目の定点調査を行った場合、定点Ａの第１回目の定点調査の調査レコードの“事前調査ＩＤ”には無効値（ＮＵＬＬ）が設定され（図１６の調査ＩＤ（１）の調査レコードを参照）、定点Ａの第２回目の定点調査の調査レコードの“事前調査ＩＤ”には第１回目の調査レコードの調査ＩＤが設定され（図１６の調査ＩＤ（１４）の調査レコードを参照）、定点Ａの第３回目の定点調査の調査レコードの“事前調査ＩＤ”には第２回目の調査レコードの調査ＩＤが設定される（図１６の調査ＩＤ（３２）の調査レコードを参照）。このようにして、一つの定点に対する一連の調査レコード間の関係付けが行われる。
【０１２４】
図１７は、実施例４の携帯式電子デバイス１における撮影画像リスト画面の中の定点調査に対する一つの写真欄１１５ａの表示例を表す図である。尚、本実施例においても実施例２と同様に、撮影画像リスト画面は図８（ｄ）と同様に表示され、図１７は撮影画像リスト画面内の撮影画像リスト１１５中の一つの写真欄１１５ａを表している。図１７（ａ）は、今回の調査における事後画像の撮影が未完了な状態の写真欄１１５ａ、（ｂ）は今回の調査における事後画像の撮影が完了した状態の写真欄１１５ａである。
【０１２５】
画像リスト表示部３４は、“撮影種別”が「定点」の調査レコードを撮影画像リスト１１５に表示する場合、まず、今回の調査の調査日を、内部時計２５が出力する現在の日時に設定する。そして、調査管理テーブルから“写真番号”が同一の調査レコードのレコードセットを抽出し、抽出されたレコードセット中に“日時”が調査日と同一の調査レコードがあれば、そのレコードセットの一連の定点調査において事後画像の撮影は完了した状態であると判断する。抽出されたレコードセット中に“日時”が調査日と同一の調査レコードがなければ、そのレコードセットの一連の定点調査において事後画像の撮影は未完了の状態であると判断する。
【０１２６】
事後画像の撮影が未完了の状態であると判断された場合、画像リスト表示部３４は、当該レコードセット中で“日時”が最も後の調査レコード（以下「末尾調査レコード」という。）を抽出し、その末尾調査レコードに対する画像ファイルを画像ファイル記憶部３１から読み出して、当該レコードセットに対する写真欄１１５ａの事前画像表示領域１９１に表示する。また、当該レコードセットに対する写真欄１１５ａの事後画像表示領域１９２には、未撮影示教画像１８１を表示する（図１７（ａ）参照）。
【０１２７】
一方、事後画像の撮影が完了の状態であると判断された場合、画像リスト表示部３４は、当該レコードセット中で“日時”が調査日と同一の調査レコード（以下「末尾調査レコード」という。）を抽出し、その末尾調査レコードに対する画像ファイルを画像ファイル記憶部３１から読み出して、当該レコードセットに対する写真欄１１５ａの事後画像表示領域１９２に表示する。また、画像リスト表示部３４は、当該レコードセット中で“日時”が調査日より前のもの（以下これらをまとめて「事前画像」という。）のうち最も後の調査レコード（以下「第２末尾調査レコード」という。）を抽出し、その第２末尾調査レコードに対する画像ファイルを画像ファイル記憶部３１から読み出して、当該レコードセットに対する写真欄１１５ａの事前画像表示領域１９１に表示する。
【０１２８】
また、画像リスト表示部３４は、画像リスト表示部３４は、一連の定点調査のレコードセットに対する写真欄１１５ａの写真番号表示領域１９５には「定点」と表示し、場所・被写物件名称表示領域１９３には、場所名称及び被写物件名称を表示するとともに、事前画像表示領域１９１に表示されている画像の“日付”を表示する。更に、事前画像表示領域１９１の左右に、レコード移動ボタン画像１９７，１９８を表示する。
【０１２９】
図１７（ａ）又は図１７（ｂ）において、ユーザによりレコード移動ボタン画像１９７が選択されると、画像リスト表示部３４は、事前画像の中で、現在、事前画像表示領域１９１に表示されている画像よりも１つ前の撮影日時の事前画像を事前画像表示領域１９１に表示し、それに合わせて場所・被写物件名称表示領域１９３の表示を更新する。ユーザによりレコード移動ボタン画像１９８が選択されると、画像リスト表示部３４は、事前画像の中で、現在、事前画像表示領域１９１に表示されている画像よりも１つ後の撮影日時の事前画像を事前画像表示領域１９１に表示し、それに合わせて場所・被写物件名称表示領域１９３の表示を更新する。このようにして、ユーザは事前画像の表示を切り替えて確認することができる。
【０１３０】
また、図１７（ａ）においてユーザにより未撮影示教画像１８１が選択されると、実施例１のステップ７で説明した手順と同様の手順により、事後画像の撮影動作が実行される。尚、このとき下敷画像は、未撮影示教画像１８１が選択された時点で事前画像表示領域１９１に表示されている画像が用いて作成される。
【０１３１】
以上のように、本発明の携帯式電子デバイスは、同一の地点を複数回に亘って繰り返し撮影し記録する定点調査についても適用することが出来る。
【実施例５】
【０１３２】
本実施例では、さらに、被写体サイズ情報の自動計算及び記録機能をもたせた携帯式電子デバイスの実施例について説明する。本実施例における携帯式電子デバイスの構成は、基本的には実施例１と同様であるので、ここでは実施例１と相違する点を中心に説明する。尚、本実施例では、本発明に係る携帯式電子デバイスを工損調査に適用した一例について説明する。
【０１３３】
図１９は、図１の携帯式電子デバイスにアプリケーション・プログラムをインストールして構成される実施例５の携帯式電子デバイスの機能構成を表すブロック図である。図１９において、タッチスクリーンデバイス２、カメラデバイス３、ＧＮＳＳモジュール４、近距離無線通信モジュール６、加速度センサ７、方位センサ８、気圧センサ９、ジャイロセンサ１０、内部時計２５、画像ファイル記憶部３１、写真管理データベース３２、撮影位置演算部３３、画像リスト表示部３４、撮影済画像表示部３５、下敷付ファインダ画面表示部３６、事後画像取込部３７、新地点レコード追加部３８、通常ファインダ画面表示部３９、新規追加画像取込部４０、接写ファインダ画面表示部４１、接写画像取込部４２、白板表示・編集部４３、及び画像編集部４４は、図３の同符号の構成部分に対応している。本実施例では、新たにサイズ換算比算出部４５及びサイズ計測部４６が追加されている。
【０１３４】
サイズ換算比算出部４５は、事後画像取込部３７、新規追加画像取込部４０、又は接写画像取込部４２により事後画像、事前画像、又は現況画像として取り込まれる撮影画像において、予め登録されたスケールの基準となるスケール基準画像を探索し、当該スケール基準画像が索出された場合には、撮影画像内におけるスケール基準画像のサイズに基づき、撮影画像上のサイズに対する実際の被写物件Ａのサイズの比であるサイズ換算比Ｒを算出する。
【０１３５】
サイズ計測部４６は、サイズ換算比算出部４５によりサイズ換算比が算出された場合において、画像編集部４４によりタッチスクリーンデバイス２上に表示された画像編集画面上の撮影画像で、ユーザによりタッチスクリーンデバイス２を用いて２点が指定された場合に、撮影画像上における当該２点間の距離Ｌ１を算出する。そして、当該距離Ｌ１にサイズ換算比Ｒを乗じて、実際の被写物件Ａにおける当該２点間の距離Ｌ２を算出し、画像編集画面内に表示する。
【０１３６】
以上のように構成された本実施例の携帯式電子デバイスにおいて、以下、被写体サイズ情報の自動計算及び記録機能を中心とする動作について説明する。本実施例に於いて、被写体サイズ情報の自動計算を実施する場合には、被写物件Ａの撮影時に、スケールの基準となるスケール基準物Ｐを被写物件Ａとともに撮影する必要がある。図２０は、被写物件Ａとともにスケール基準物Ｐを撮影する例を示した図である。本実施例に於いては、スケール基準物Ｐとして、図２０（ｂ）に示したような、スライドケース付のクラックスケール２１０を用いている。このクラックスケール２１０は、スライドケース２１０ａと目盛板２１０ｂとからなる。目盛板２１０ｂは無色透明の樹脂により撓曲自在に形成され、長方形のシート状に形成され、長辺に沿って目盛りが表示されている。スライドケース２１０ａは偏平長尺箱状を成し、中央に長方形の貫通窓２１０ｃが形成され、左右側面に目盛板２１０ｂが挿通する挿通孔が形成されている。目盛板２１０ｂは、スライドケース２１０ａの左右側面の挿通孔を通して、スライドケース２１０ａに左右に摺動自在に装着される。また、スライドケース２１０ａの背面には粘着部が設けられており、被写物件Ａの在る壁面Ｓに対して貼剥自在とされている。さらに、スライドケース２１０ａの正面の貫通窓２１０ｃの左右には、検出マーク２１０ｄ，２１０ｄが表示されている。この検出マーク２１０ｄ，２１０ｄは、撮影画像内においてスケール基準画像を識別するためのマークであり、例えば、二次元バーコードや特徴的図形のように、他の部分との識別が容易な特徴的なマークとされている。撮影の際には、図２０（ａ）に示したように、罅割れ等の被写物件Ａの中央付近にクラックスケール２１０を貼着して、目盛板２１０ｂの目盛りを被写物件Ａの幅に合わせた状態として、これを携帯式電子デバイス１のカメラデバイス３により撮影する。このとき、カメラデバイス３のレンズ収差等による撮影画像上でのサイズ換算計算の誤差を少なくするため、できるだけクラックスケール２１０がカメラデバイス３の視軸上となるようにし、且つできるだけカメラデバイス３の視軸が壁面Ｓに垂直となるようにして撮影する。
【０１３７】
このようにして、図７（ｃ）又は図９（ａ）に示した電子ビューファインダ画面において、ユーザにより、タッチスクリーンデバイス２からシャッターボタン画像１０６が選択されると、新規追加画像取込部４０又は事後画像取込部３７若しくは接写画像取込部４２は、その選択時点の電子ビューファインダ画像を事前画像として取り込むとともに、撮影位置演算部３３が出力する現在の位置情報及び内部時計２５が出力する現在の日時情報を取り込む。そして、本実施例における画像編集部４４は、タッチスクリーンデバイス２上に図２１（ａ）の画像編集画面を表示する。画像編集画面において、中央の画像表示領域１６１に取り込まれた事前画像が表示され、その左右上下隅の何れかの隅に白板画像１５３が重畳表示され、その白板画像１５３は、ユーザがタッチスクリーンデバイス２上で当該白板画像１５３をスワイプすることにより、画像表示領域１６１内での位置を移動させることができる点は、実施例１と同様である。また、画像表示領域１６１の右側には、編集動作選択ボタン画像１６２、再撮影ボタン画像１０８、保存ボタン画像１３０が表示され、ユーザがこの編集動作選択ボタン画像１６２をタップすることによって、に図９（ａ）の画像編集画面（ポインタ編集モードの画像編集画面）と図８（ｂ）の画像編集画面（ペン編集モードの画像編集画面）とがトグル動作で切り替わる点も、実施例１と同様である。本実施例では、これに加えて、画像編集部４４は、画像表示領域１６１の右側に、ポインタグループ選択ボタン画像１６５及び測定モード選択ボタン画像１６６を表示する。このポインタグループ選択ボタン画像１６５及び測定モード選択ボタン画像１６６は、ポインタ編集モードの画像編集画面においてのみ表示される。
【０１３８】
ポインタグループ選択ボタン画像１６５は、矢印画像（ポインタ）のグループを選択するパレットボタン画像である。矢印画像のグループは、画像編集画面上では色により表示される。ユーザは、ポインタグループ選択ボタン画像１６５に表示されたパレットの中から色を選択することにより、編集に使用する矢印画像のグループ（色）を選択することができる。測定モード選択ボタン画像１６６は、距離測定モードと非測定モードとを切り替えるためのトグルボタンである。ここで、「距離測定モード」とは、サイズ換算比算出部４５及びサイズ計測部４６により被写体サイズ情報の自動計算及び記録を実行する動作モードをいい、「非測定モード」とは、被写体サイズ情報の自動計算及び記録を実行しない動作モードをいう。ユーザがタッチスクリーンデバイス２上で測定モード選択ボタン画像１６６をタップすることによって、距離測定モードと非測定モードとを交互に切り替えることができる。尚、距離測定モードになると測定モード選択ボタン画像１６６の色は選択色（明濃色）に変更され、非測定モードになると測定モード選択ボタン画像１６６の色は非選択色（暗淡色）に変更される。
【０１３９】
非測定モードにおける画像編集部４４の動作については、実施例１と同様であるため説明は省略する。尚、本実施例では、画像編集画面の画像表示領域１６１内に表示される矢印画像の色は、ポインタグループ選択ボタン画像１６５によって選択された色となり、同一の画像表示領域１６１内に複数の色の矢印画像を追加することが可能とされている。
【０１４０】
ユーザにより距離測定モードが選択された場合における編集動作を以下に説明する。距離測定モードが選択されると、測定モード選択ボタン画像１６６は選択色（明濃色）となる。そして、サイズ換算比算出部４５は、画像表示領域１６１に表示されている撮影画像において、予め登録されたスケールの基準となるスケール基準画像１６７を探索する。本実施例においては、スケール基準画像１６７は、クラックスケール２１０のスライドケース２１０ａの画像とされている。ここで、上述の通りスライドケース２１０ａの正面の貫通窓２１０ｃの左右には、検出マーク２１０ｄ，２１０ｄが表示されているので、サイズ換算比算出部４５は、撮影画像内においてこの検出マーク２１０ｄ，２１０ｄの画像を探索することによってスライドケース２１０ａの画像を容易に識別し抽出することができる。
【０１４１】
スケール基準画像１６７が抽出できなかった場合には、サイズ換算比算出部４５は、画像編集画面上にエラーメッセージ（例えば、「スケール基準画像が抽出せきません！」というポップアップボックス）を表示した後に、非測定モードに戻す。一方、スケール基準画像１６７が抽出できた場合には、サイズ換算比算出部４５は、撮影画像内におけるスケール基準画像１６７のサイズに基づき、撮影画像上のサイズに対する実際の被写物件Ａのサイズの比であるサイズ換算比Ｒを算出する。例えば、撮影画像上において、スケール基準画像１６７の長手方向の長さがｗ１画素とする。また、実際のスライドケース２１０ａの長手方向の長さがｗ２であったとする（図２０（ａ）参照）。このとき、サイズ換算比Ｒは、Ｒ＝ｗ２／ｗ１となる。
【０１４２】
次に、ユーザはポインタグループ選択ボタン画像１６５により矢印画像（ポインタ）のグループを選択し、画像表示領域１６１内の撮影画像上で、矢印画像を置きたい位置を指定していく。図２１（ｂ）に、ユーザにより５つの矢印画像の位置が指定された状態の例を示す。図２１（ｂ）において、矢印画像の位置は丸囲み数字の１から５の順に指定されたものとする。サイズ計測部４６は、２番目以降の矢印画像Ｙｉ（ｉ＝２，３，…）の位置が指定されると、その前に指定された矢印画像Ｙｉ−１の位置からの撮影画像上での距離Ｌ１（Ｙｉ−１，Ｙｉ）を計算し、当該距離Ｌ１（Ｙｉ−１，Ｙｉ）にサイズ換算比Ｒを乗じて被写物件Ａにおける当該２点間の距離Ｌ２（Ｙｉ−１，Ｙｉ）＝Ｒ・Ｌ１（Ｙｉ−１，Ｙｉ）を算出する。そして、算出した距離Ｌ２（Ｙｉ−１，Ｙｉ）の値を、画像表示領域１６１内の撮影画像上における矢印画像Ｙｉ−１，Ｙｉの中間位置に表示する。また、それとともに、サイズ計測部４６は、算出した距離Ｌ２（Ｙｉ−１，Ｙｉ）を、写真管理データベース３２における当該撮影画像に対する調査レコードの“長さ”フィールド（図４参照）に文字列データとして格納する。格納された“長さ”フィールドの文字列データは、同時に白板画像１５３にも反映される。例えば、図２１（ｂ）の例では、(L2(Y1, Y2), L2(Y2, Y3), L2(Y3, Y4), L2(Y4, Y5)) = (51.1, 39.1, 28.9, 27.9)と計算され、この場合、調査レコードの“長さ”フィールドには、文字列“51.1+9.1+28.9+27.9”が格納され、この文字列が白板画像１５３の長さ（Ｌ）の欄にも反映される。
【０１４３】
次に、撮影画像内の罅割れが途中で分岐しているような場合に、距離測定を一旦打ち切って改めて別の点から距離測定を行いたいような場合には、ユーザは、ポインタグループ選択ボタン画像１６５により、別のポインタグループの矢印画像を選択した後に、画像表示領域１６１内の撮影画像上で、矢印画像を置きたい位置を指定していく。図２２に、図２１（ｂ）の状態からポインタグループを切り替えた後に、さらにユーザにより２つの矢印画像の位置が指定された状態の例を示す。この例では、矢印画像の位置は丸囲み数字の６，７の順に指定されたものとする。この場合、サイズ計測部４６は、ポインタグループの変更後、２番目以降の矢印画像Ｙｉ（ｉ＝７，…）の位置が指定されると、その前に指定された矢印画像Ｙｉ−１の位置からの撮影画像上での距離Ｌ１（Ｙｉ−１，Ｙｉ）を計算し、当該距離Ｌ１（Ｙｉ−１，Ｙｉ）にサイズ換算比Ｒを乗じて被写物件Ａにおける当該２点間の距離Ｌ２（Ｙｉ−１，Ｙｉ）＝Ｒ・Ｌ１（Ｙｉ−１，Ｙｉ）を算出する。そして、算出した距離Ｌ２（Ｙｉ−１，Ｙｉ）の値を、画像表示領域１６１内の撮影画像上における矢印画像Ｙｉ−１，Ｙｉの中間位置に表示する。それとともに、サイズ計測部４６は、算出した距離Ｌ２（Ｙｉ−１，Ｙｉ）を、写真管理データベース３２における当該撮影画像に対する調査レコードの“長さ”フィールドに文字列データとして格納する。格納された“長さ”フィールドの文字列データは、同時に白板画像１５３にも反映される。例えば、図２２の例では、(L2(Y1, Y2), L2(Y2, Y3), L2(Y3, Y4), L2(Y4, Y5); L2(Y6, Y7)) = (51.1, 39.1, 28.9, 27.9; 19.4)（但し、“;”はポインタグループの区切りを表す）と計算され、この場合、調査レコードの“長さ”フィールドには、文字列“51.1+9.1+28.9+27.9, 19.4”が格納され、この文字列が白板画像１５３の長さ（Ｌ）の欄にも反映される。
【０１４４】
画像編集が終わると、ユーザは画像編集画面において保存ボタン画像１３０を選択する。そうすると、実施例１と同様、事後画像取込部３７，新規追加画像取込部４０，又は接写画像取込部４２による撮影画像の保存等の処理が行われる。
【０１４５】
以上のように、本実施例では、撮影画像内のスケール基準画像１６７を用いて、画像編集画面上の撮影画像の２点をタッチスクリーンデバイス２により指定することで、実際の被写物件Ａ上の対応する２点間距離Ｌ２（Ｙｉ，Ｙｉ−１）を自動測定し記録することができる。これにより、被写物件Ａ上で定規や巻尺による実際の測定を行わずとも、画像編集画面上において距離の計測や記録を行うことが可能となり、調査における作業効率が向上する。
【実施例６】
【０１４６】
実施例５では、被写体サイズ情報のうち、長さ（Ｌ）の自動計算及び記録機能に関する実施例について説明したが、幅（Ｗ）についても撮影画像上での計測及び記録が可能である。実施例６では、幅計測及び記録機能をもたせた携帯式電子デバイスの実施例について説明する。尚、本実施例の携帯式電子デバイスの構成は、実施例５と同様であり、サイズ計測部４６の機能のみ異なる。
【０１４７】
この場合、スケール基準物Ｐとして、図２０（ｂ）のクラックスケール２１０のうち、目盛板２１０ｂを除いたスライドケース２１０ａのみを用いる。そして、被写物件Ａの撮影時には、スケールの基準となるスケール基準物Ｐであるスライドケース２１０ａを被写物件Ａとともに撮影する。
【０１４８】
このようにして、図７（ｃ）又は図９（ａ）に示した電子ビューファインダ画面において、ユーザにより、タッチスクリーンデバイス２からシャッターボタン画像１０６が選択されると、新規追加画像取込部４０又は事後画像取込部３７若しくは接写画像取込部４２は、その選択時点の電子ビューファインダ画像を事前画像として取り込むとともに、撮影位置演算部３３が出力する現在の位置情報及び内部時計２５が出力する現在の日時情報を取り込む。そして、本実施例における画像編集部４４は、タッチスクリーンデバイス２上に図２３（ａ）の画像編集画面を表示する。図２３（ａ）の画像編集画面は、基本的には実施例５の図２１（ａ）と同様であるが、実施例５の場合との相違点は、測定モード選択ボタン画像１６６の代わりに距離測定モード選択ボタン画像１６６ａを設けたこと、及び新たに幅測定モード選択ボタン画像１６６ｂを設けたことである。尚、図２３（ａ）の距離測定モード選択ボタン画像１６６ａは、実施例５の図２１（ａ）の測定モード選択ボタン画像１６６の表示名称を変更しただけであり、機能的には実施例５の測定モード選択ボタン画像１６６と同じであるので、これについては説明を省略する。
【０１４９】
幅測定モード選択ボタン画像１６６ｂは、幅測定モードと非測定モードとを切り替えるためのトグルボタンである。尚、ここで、「幅測定モード」とは、サイズ計測部４６により被写物件Ａの幅方向のサイズ情報の取得及び記録を実行する動作モードをいう。ユーザがタッチスクリーンデバイス２上で幅測定モード選択ボタン画像１６６ｂをタップすることによって、幅測定モードと非測定モードとを交互に切り替えることができる。尚、“距離測定モード”の状態でユーザが幅測定モード選択ボタン画像１６６ｂをタップすると、“距離測定モード”は解消されて“幅測定モード”となり、また、“幅測定モード”の状態でユーザが距離測定モード選択ボタン画像１６６ａをタップすると、“幅測定モード”は解消されて“距離測定モード”となるものとする。また、幅測定モードになると幅測定モード選択ボタン画像１６６ｂの色は選択色（明濃色）に変更され、非測定モードになると幅測定モード選択ボタン画像１６６ｂの色は非選択色（暗淡色）に変更される。
【０１５０】
また、ユーザが、画像編集画面内の画像表示領域１６１で、タッチスクリーンデバイス２からピンチイン操作（タッチスクリーンデバイス２に二本の指を乗せつまむ（間を狭める）ように動かす操作）を行うと、画像編集部４４は画像表示領域１６１上に表示された撮影画像は縮小表示し、また、タッチスクリーンデバイス２からピンチアウト操作（タッチスクリーンデバイス２に二本の指を乗せ、二本の指の間を広げるように動かす操作）を行うと、画像編集部４４は画像表示領域１６１上に表示された撮影画像を拡大表示する。図２３（ｂ）の編集画面では、図２３（ａ）の編集画面からのピンチアウト操作により、スケール基準画像１６７の近傍が拡大表示されている。
【０１５１】
ユーザにより幅測定モードが選択された場合における編集動作を以下に説明する。幅測定モードが選択されると、図２３（ｂ）に示したように、幅測定モード選択ボタン画像１６６ｂは選択色（明濃色）となる。それとともに、スケール基準物Ｐであるスライドケース２１０ａの画像の貫通窓２１０ｃの中央に、幅測定用目盛画像１６８が表示される。この幅測定用目盛画像１６８は、クラックスケール２１０の目盛板２１０ｂに付された目盛りに相当するものである。尚、幅測定用目盛画像１６８の画像編集画面上での大きさは、スケール基準画像１６７との相対的なサイズ比から計算される。図２３（ｂ）の画像編集画面には７つの幅測定用目盛画像１６８が表示されているが、このうちの中央の幅測定用目盛画像１６８が現在選択中の目盛とみなされる。ユーザがこの幅測定用目盛画像１６８の上で、タッチスクリーンデバイス２からスワイプ操作又はフリップ操作を行うと、その指の動きに合わせて、クラックスケール２１０の目盛板２１０ｂをスライドさせるのと同様の動きで、各幅測定用目盛画像１６８がスクロールして表示される目盛りの幅が変化する（図２３（ｂ）の左側の目盛り部分拡大図を参照）。このようにして、撮影画像内の罅割れの幅に適合した幅測定用目盛画像１６８を選択することにより、幅（Ｗ）についての撮影画像上での計測及び記録が可能となる。サイズ計測部４６は、選択された幅測定用目盛画像１６８の幅Ｗを、写真管理データベース３２における当該撮影画像に対する調査レコードの“幅”フィールド（図４参照）に文字列データとして格納する。格納された“幅”フィールドの文字列データは、同時に白板画像１５３にも反映される。例えば、図２３（ｂ）の例では、Ｗ＝０．９５ｍｍが選択されており、この場合、調査レコードの“幅”フィールドには、文字列“0.95”が格納され、この文字列が白板画像１５３の幅（Ｗ）の欄にも反映される。
【０１５２】
以上のように、本実施例では、撮影画像内のスケール基準画像１６７とともに表示される幅測定用目盛画像１６８を用いて、画像編集画面上の撮影画像において被写物件Ａの幅とのサイズ合わせを行い幅Ｗの測定を行うことで、実際の被写物件Ａ上の幅Ｗを測定し記録することができる。これにより、被写物件Ａ上でクラックスケール２１０による実際の測定を行わずとも、画像編集画面上において幅Ｗの計測や記録を行うことが可能となり、調査における作業効率が向上する。
【符号の説明】
【０１５３】
１  携帯式電子デバイス
２  タッチスクリーンデバイス
３  カメラデバイス
４  ＧＮＳＳモジュール
５  携帯回線通信モジュール
６  近距離無線通信モジュール
７  加速度センサ
８  方位センサ
９  気圧センサ
１０  ジャイロセンサ
１９  システムバス
２０  Ｉ／Ｏサブシステム
２０ａ  ディスプレイ・コントローラ
２０ｂ  カメラ入力コントローラ
２０ｃ  ＧＮＳＳコントローラ
２０ｄ  携帯回線通信コントローラ
２０ｅ  近距離無線通信コントローラ
２１  ストレージ・デバイス
２２  ストレージ・コントローラ
２３  周辺インタフェース
２４  プロセッサ
２５  内部時計
２６  メモリ
２７  メモリ・バス
３１  画像ファイル記憶部
３２  写真管理データベース
３３  撮影位置演算部
３４  画像リスト表示部
３５  撮影済画像表示部
３６  下敷付ファインダ画面表示部
３７  事後画像取込部
３８  新地点レコード追加部
３９  通常ファインダ画面表示部
４０  新規追加画像取込部
４１  接写ファインダ画面表示部
４２  接写画像取込部
４３  白板表示・編集部
４４  画像編集部
４５  サイズ換算比算出部
４６  サイズ計測部
５１  ログイン部
５２  調査一覧表示部
５３  新規調査登録部
５４  調査選択部
５５  所有者登録部
【図１】
2018029239.tif 000003
【図２】
2018029239.tif 000004
【図３】
2018029239.tif 000005
【図４】
2018029239.tif 000006
【図５】
2018029239.tif 000007
【図６】
2018029239.tif 000008
【図７】
2018029239.tif 000009
【図８】
2018029239.tif 000010
【図９】
2018029239.tif 000011
【図１０】
2018029239.tif 000012
【図１１】
2018029239.tif 000013
【図１２】
2018029239.tif 000014
【図１３】
2018029239.tif 000015
【図１４】
2018029239.tif 000016
【図１５】
2018029239.tif 000017
【図１６】
2018029239.tif 000018
【図１７】
2018029239.tif 000019
【図１８】
2018029239.tif 000020
【図１９】
2018029239.tif 000021
【図２０】
2018029239.tif 000022
【図２１】
2018029239.tif 000023
【図２２】
2018029239.tif 000024
【図２３】
2018029239.tif 000025